(57)【要約】【課題】製造コストの高騰や消費電力の増加を招くことなく正確な測定時刻を各測定値に対応付けて測定結果データを生成する。【解決手段】内部時計１２の時刻を補正する第１の処理を実行することなく、測定値データＤ１および測定時刻特定用データＤ２を相互に関連付けて生成する第２の処理を開始したときに、第２の処理において、第１の処理を実行しなかったことを示す第１の情報と、その時点における内部時計１２の時刻および特定した第１の時間長を特定可能な第２の情報とを相互に関連付けて測定時刻特定用データＤ２に記録する処理部１９を備えた測定装置１から取得した測定時刻特定用データＤ２に第１の情報が記録されているときに、処理部２７が、第３の処理において、第１の情報に関連付けられた第２の情報に基づき、測定時刻特定用データＤ２に記録された測定時刻情報に基づく測定時刻を変更して測定値に対応付ける。【選択図】図１
2017198490.tif 000002
【特許請求の範囲】
【請求項１】
内部時計と、予め規定された周期で測定対象についての被測定量を測定して測定値を順次出力する測定部と、外部装置から現在時刻情報を取得して前記内部時計の時刻を補正する第１の処理を予め規定された条件が満たされたときに実行すると共に、前記測定値を記録した測定値データと当該測定値データに記録した当該測定値の測定時刻を特定可能な測定時刻情報を記録した測定時刻特定用データとを相互に関連付けて生成する第２の処理を実行する測定装置側処理部とを有する測定装置、および前記測定値データに記録されている前記測定値を前記測定時刻特定用データに記録されている前記測定時刻情報に基づいて特定される測定時刻に対応付けて予め規定された手順に従って記録して測定結果データを生成する第３の処理を実行する処理装置側処理部を有するデータ処理装置を備えて構成された測定システムであって、
前記測定装置側処理部は、前記現在時刻情報を取得可能な状態において前記第１の処理を実行することなく前記第２の処理を開始したときに、当該第２の処理において、当該第１の処理を実行しなかったことを特定可能な第１の情報と、前記現在時刻情報に基づいて特定される現在時刻に対する前記内部時計の時刻の遅れまたは進みの時間を示す第１の時間長が特定された時点における当該内部時計の時刻および当該第１の時間長をそれぞれ特定可能な第２の情報とを相互に関連付けて前記測定時刻特定用データに記録し、
前記処理装置側処理部は、前記測定時刻特定用データに前記第１の情報が記録されているときに、前記第３の処理において、当該第１の情報に関連付けられている前記第２の情報に基づき、前記測定時刻情報に基づいて特定される測定時刻を予め規定された変更手順に従って変更して前記測定値に対応付けて前記測定結果データを生成する測定システム。
【請求項２】
内部時計と、予め規定された周期で測定対象についての被測定量を測定して測定値を順次出力する測定部と、外部装置から現在時刻情報を取得して前記内部時計の時刻を補正する第１の処理を予め規定された条件が満たされたときに実行すると共に、前記測定値を記録した測定値データと当該測定値データに記録した当該測定値の測定時刻を特定可能な測定時刻情報を記録した測定時刻特定用データとを相互に関連付けて生成する第２の処理を実行する測定装置側処理部とを有する測定装置、および前記測定値データに記録されている前記測定値を前記測定時刻特定用データに記録されている前記測定時刻情報に基づいて特定される測定時刻に対応付けて予め規定された手順に従って記録して測定結果データを生成する第３の処理を実行する処理装置側処理部を有するデータ処理装置を備えて構成された測定システムであって、
前記測定装置側処理部は、前記現在時刻情報に基づいて特定される現在時刻に対する前記内部時計の時刻の遅れまたは進みの時間を示す第１の時間長が前記予め規定された周期の時間長未満の予め規定された第２の時間長以下のときに、前記内部時計の時刻を当該第１の時間長分変更する処理を前記第１の処理として実行すると共に、前記第１の時間長が前記第２の時間長を超えているときに、前記第１の処理を実行することなく、前記第２の処理において、当該第１の処理を実行しなかったことを特定可能な第１の情報と、当該第１の時間長が特定された時点における前記内部時計の時刻および当該第１の時間長をそれぞれ特定可能な第２の情報とを相互に関連付けて前記測定時刻特定用データに記録し、
前記処理装置側処理部は、前記測定時刻特定用データに前記第１の情報が記録されているときに、前記第３の処理において、当該第１の情報に関連付けられている前記第２の情報に基づき、前記測定時刻情報に基づいて特定される測定時刻を予め規定された変更手順に従って変更して前記測定値に対応付けて前記測定結果データを生成する測定システム。
【請求項３】
前記測定装置側処理部は、前記第１の処理を実行して前記内部時計の時刻を前記第１の時間長分変更したときに、前記第２の処理において、当該第１の処理を実行したことを特定可能な第３の情報、および当該第１の処理によって変更した前記内部時計の時刻を特定可能な第４の情報を相互に関連付けて前記測定時刻特定用データに記録し、
前記処理装置側処理部は、前記第１の情報および前記第３の情報の双方が前記測定時刻特定用データに記録されると共に、当該第１の情報が関連付けられた前記第２の情報に基づいて特定される前記内部時計の時刻と、当該第３の情報が関連付けられた前記第４の情報に基づいて特定される前記内部時計の時刻との間に測定された前記測定値が複数存在するときに、前記第３の処理において、当該第２の情報に基づいて特定される当該内部時計の時刻と、当該第４の情報に基づいて特定される当該内部時計の時刻と、前記予め規定された周期の時間長とに基づき、当該複数の測定値に対応付ける測定時刻を線形補間して前記測定結果データを生成する請求項１または２記載の測定システム。
【請求項４】
前記処理装置側処理部は、前記測定時刻特定用データに前記第１の情報が複数記録されると共に、いずれかの当該第１の情報が関連付けられた前記第２の情報に基づいて特定される前記内部時計の時刻と、他のいずれかの当該第１の情報が関連付けられた前記第２の情報に基づいて特定される前記内部時計の時刻との間に、前記第４の情報に基づいて特定される前記内部時計の時刻が含まれず、かつ当該いずれかの第１の情報が関連付けられた当該第２の情報に基づいて特定される当該内部時計の時刻と、当該他のいずれかの第１の情報が関連付けられた当該第２の情報に基づいて特定される当該内部時計の時刻との間に測定された前記測定値が複数存在するときに、前記第３の処理において、当該いずれかの第１の情報が関連付けられた当該第２の情報に基づいて特定される当該内部時計の時刻と、当該他のいずれかの第１の情報が関連付けられた当該第２の情報に基づいて特定される当該内部時計の時刻と、前記予め規定された周期の時間長とに基づき、当該複数の測定値に対応付ける測定時刻を線形補間して前記測定結果データを生成する請求項３記載の測定システム。
【請求項５】
内部時計と、予め規定された周期で測定対象についての被測定量を測定して測定値を順次出力する測定部と、外部装置から現在時刻情報を取得して前記内部時計の時刻を補正する第１の処理を予め規定された条件が満たされたときに実行すると共に、前記測定値を記録した測定値データと当該測定値データに記録した当該測定値の測定時刻を特定可能な測定時刻情報を記録した測定時刻特定用データとを相互に関連付けて生成する第２の処理を実行する測定装置側処理部とを有する測定装置、および処理装置側処理部を有するデータ処理装置を備えて構成された測定システムにおける当該処理装置側処理部に対して、前記測定値データに記録されている前記測定値を前記測定時刻特定用データに記録されている前記測定時刻情報に基づいて特定される測定時刻に対応付けて予め規定された手順に従って記録して測定結果データを生成する第３の処理を実行させる測定データ処理用プログラムであって、
前記現在時刻情報を取得可能な状態において前記第１の処理を実行することなく前記第２の処理を開始したときに、当該第２の処理において、当該第１の処理を実行しなかったことを特定可能な第１の情報と、前記現在時刻情報に基づいて特定される現在時刻に対する前記内部時計の時刻の遅れまたは進みの時間を示す第１の時間長が特定された時点における当該内部時計の時刻および当該第１の時間長をそれぞれ特定可能な第２の情報とを相互に関連付けて前記測定時刻特定用データに記録するように構成された前記測定装置側処理部によって生成された当該測定時刻特定用データに当該第１の情報が記録されているときに、前記第３の処理において、当該第１の情報に関連付けられている前記第２の情報に基づき、前記測定時刻情報に基づいて特定される測定時刻を予め規定された変更手順に従って変更して前記測定値に対応付けて前記測定結果データを生成させる処理を前記処理装置側処理部に実行させる測定データ処理用プログラム。
【請求項６】
内部時計と、予め規定された周期で測定対象についての被測定量を測定して測定値を順次出力する測定部と、外部装置から現在時刻情報を取得して前記内部時計の時刻を補正する第１の処理を予め規定された条件が満たされたときに実行すると共に、前記測定値を記録した測定値データと当該測定値データに記録した当該測定値の測定時刻を特定可能な測定時刻情報を記録した測定時刻特定用データとを相互に関連付けて生成する第２の処理を実行する測定装置側処理部とを有する測定装置、および処理装置側処理部を有するデータ処理装置を備えて構成された測定システムにおける当該処理装置側処理部に対して、前記測定値データに記録されている前記測定値を前記測定時刻特定用データに記録されている前記測定時刻情報に基づいて特定される測定時刻に対応付けて予め規定された手順に従って記録して測定結果データを生成する第３の処理を実行させる測定データ処理用プログラムであって、
前記現在時刻情報に基づいて特定される現在時刻に対する前記内部時計の時刻の遅れまたは進みの時間を示す第１の時間長が前記予め規定された周期の時間長未満の予め規定された第２の時間長以下のときに、前記内部時計の時刻を当該第１の時間長分変更する処理を前記第１の処理として実行すると共に、前記第１の時間長が前記第２の時間長を超えているときに、前記第１の処理を実行することなく、前記第２の処理において、当該第１の処理を実行しなかったことを特定可能な第１の情報と、当該第１の時間長が特定された時点における前記内部時計の時刻および当該第１の時間長をそれぞれ特定可能な第２の情報とを相互に関連付けて前記測定時刻特定用データに記録するように構成された前記測定装置側処理部によって生成された当該測定時刻特定用データに当該第１の情報が記録されているときに、前記第３の処理において、当該第１の情報に関連付けられている前記第２の情報に基づき、前記測定時刻情報に基づいて特定される測定時刻を予め規定された変更手順に従って変更して前記測定値に対応付けて前記測定結果データを生成させる処理を前記処理装置側処理部に実行させる測定データ処理用プログラム。
【請求項７】
前記第１の処理を実行して前記内部時計の時刻を前記第１の時間長分変更したときに、前記第２の処理において、当該第１の処理を実行したことを特定可能な第３の情報、および当該第１の処理によって変更した前記内部時計の時刻を特定可能な第４の情報を相互に関連付けて前記測定時刻特定用データに記録するように構成された前記測定装置側処理部によって生成された当該測定時刻特定用データに、前記第１の情報および前記第３の情報の双方が記録されると共に、当該第１の情報が関連付けられた前記第２の情報に基づいて特定される前記内部時計の時刻と、当該第３の情報が関連付けられた前記第４の情報に基づいて特定される前記内部時計の時刻との間に測定された前記測定値が複数存在するときに、前記第３の処理において、当該第２の情報に基づいて特定される当該内部時計の時刻と、当該第４の情報に基づいて特定される当該内部時計の時刻と、前記予め規定された周期の時間長とに基づき、当該複数の測定値に対応付ける測定時刻を線形補間して前記測定結果データを生成する処理を前記処理装置側処理部に実行させる請求項５または６記載の測定データ処理用プログラム。
【請求項８】
前記測定時刻特定用データに前記第１の情報が複数記録されると共に、いずれかの当該第１の情報が関連付けられた前記第２の情報に基づいて特定される前記内部時計の時刻と、他のいずれかの当該第１の情報が関連付けられた前記第２の情報に基づいて特定される前記内部時計の時刻との間に、前記第４の情報に基づいて特定される前記内部時計の時刻が含まれず、かつ当該いずれかの第１の情報が関連付けられた当該第２の情報に基づいて特定される当該内部時計の時刻と、当該他のいずれかの第１の情報が関連付けられた当該第２の情報に基づいて特定される当該内部時計の時刻との間に測定された前記測定値が複数存在するときに、前記第３の処理において、当該いずれかの第１の情報が関連付けられた当該第２の情報に基づいて特定される当該内部時計の時刻と、当該他のいずれかの第１の情報が関連付けられた当該第２の情報に基づいて特定される当該内部時計の時刻と、前記予め規定された周期の時間長とに基づき、当該複数の測定値に対応付ける測定時刻を線形補間して前記測定結果データを生成する処理を前記処理装置側処理部に実行させる請求項７記載の測定データ処理用プログラム。
【発明の詳細な説明】
【技術分野】
【０００１】
本発明は、測定装置およびデータ処理装置を備えて構成された測定システム、並びに測定値に測定時刻を対応付けたデータを生成する処理を測定システムにおけるデータ処理装置の処理装置側処理部に実行させる測定データ処理用プログラムに関するものである。
【背景技術】
【０００２】
出願人は、波形記録装置（以下、単に「記録装置」ともいう）と管理装置とを備えて構成された遠隔監視システム（以下、単に「監視システム」ともいう）の発明を下記の特許文献に開示している。この監視システムでは、記録装置が、入力信号についての測定処理および測定値の記録処理と並行して、外部装置（一例として、管理装置）から取得した現在時刻情報に基づいて内部時計の時刻を補正する時刻補正処理を実行することができるように構成されている。
【０００３】
具体的には、この監視システムの記録装置では、外部装置から現在時刻の情報を取得したときに、現在時刻に対する内部時計の遅れまたは進みの時間を示す第１の時間長を特定する。この際に、内部時計が第１の時間長だけ遅れているときには、時刻補正処理の開始時刻と時刻補正処理の後に実行すべき測定処理の開始時刻との間の第２の時間長未満の第３の時間長だけ内部時計を進める処理を時刻補正処理として、第１の時間長が予め規定された時間長以下となるまで所定回数に亘って実行する。また、内部時計が第１の時間長だけ進んでいるときには、直前に実行した測定処理の開始時刻と時刻補正処理の開始時刻との間の第４の時間長未満の第５の時間長だけ内部時計を遅らせる処理を時刻補正処理として、第１の時間長が予め規定された時間長以下となるまで所定回数に亘って実行する。
【０００４】
したがって、出願人が開示している監視システムによれば、現在時刻に対して内部時計の時刻が第１の時間長だけ遅れているとき、および現在時刻に対して内部時計の時刻が第１の時間長だけ進んでいるときのいずれの場合であっても、上記の第２の時間または第４の時間を超えて内部時計の時刻が補正されるのを回避することが可能となっている。これにより、出願人が開示している監視システムによれば、測定値（測定データ）の重複や欠落を回避しつつ、現在時刻に対する予め規定された時間長以下の時差範囲内に内部時計の時刻を補正することが可能となっている。
【先行技術文献】
【特許文献】
【０００５】
【特許文献１】特開２００９−２００４４号公報（第６−１５頁、第１−８図）
【発明の概要】
【発明が解決しようとする課題】
【０００６】
ところが、出願人が上記の特許文献に開示している監視システム（記録装置）には、以下のような改善すべき課題が存在する。すなわち、上記の監視システムでは、同じ測定時刻に対応付けられた測定値が重複して存在する状態や、所定の測定時刻に対応付けられた測定値が欠落した状態が生じるのを回避するために、正確な現在時刻に対する内部時計の時刻のずれ量（遅れている時間長や進んでいる時間長）が測定時間間隔の時間長よりも長いときに、測定時間間隔の時間長の範囲内で規定した時間長だけ時刻を補正する処理を複数回に亘って実行する構成が採用されている。
【０００７】
この場合、上記の特許文献において例示しているように、数十秒から数分単位の測定時間間隔で測定処理を実行するような使用形態においては、現在時刻と内部時計の時刻とのずれ量の特定、特定したずれ量と測定時間間隔の時間長との対比、時刻補正を何回に分けて実行するかの特定、および何回目にどの程度の時間長を補正するかの決定などの時刻補正に必要となる一連の処理を、次の測定処理を実行するまでの待機時間内で完了させることができる。しかしながら、例えば、電圧波形の描画を目的として数ミリ秒から数１０ミリ秒の測定時間間隔で測定処理を実行するような使用形態においては、上記の一連の処理のすべてを、次の測定処理を実行するまでの待機時間内で完了させるのが困難となるおそれがある。
【０００８】
一方、高速な演算処理が可能な高性能の処理部を備えることにより、測定時間間隔が非常に短い使用形態においても、時刻補正に必要となる上記の一連の処理を待機時間内において完了させることが可能となる。しかしながら、そのような構成を採用した場合には、高価な処理部を搭載することに起因して記録装置の製造コストが高騰するおそれがある。また、待機時間内で各演算処理を完了させることができたとしても、演算処理を短時間で繰り返して実行することに起因して、処理部によって消費される単位時間当りの電力量が増加することとなり、特に、携帯型の記録装置（測定装置）においては、バッテリを電源とする可動時間が短くなってしまうおそれがある。
【０００９】
本発明は、かかる改善すべき課題に鑑みてなされたものであり、製造コストの高騰や消費電力の増加を招くことなく、測定時間間隔が非常に短いときでも各測定値に対して正確な測定時刻を対応付けることが可能な測定システムおよび測定データ処理用プログラムを提供することを主目的とする。
【課題を解決するための手段】
【００１０】
上記目的を達成すべく、請求項１記載の測定システムは、内部時計と、予め規定された周期で測定対象についての被測定量を測定して測定値を順次出力する測定部と、外部装置から現在時刻情報を取得して前記内部時計の時刻を補正する第１の処理を予め規定された条件が満たされたときに実行すると共に、前記測定値を記録した測定値データと当該測定値データに記録した当該測定値の測定時刻を特定可能な測定時刻情報を記録した測定時刻特定用データとを相互に関連付けて生成する第２の処理を実行する測定装置側処理部とを有する測定装置、および前記測定値データに記録されている前記測定値を前記測定時刻特定用データに記録されている前記測定時刻情報に基づいて特定される測定時刻に対応付けて予め規定された手順に従って記録して測定結果データを生成する第３の処理を実行する処理装置側処理部を有するデータ処理装置を備えて構成された測定システムであって、前記測定装置側処理部は、前記現在時刻情報を取得可能な状態において前記第１の処理を実行することなく前記第２の処理を開始したときに、当該第２の処理において、当該第１の処理を実行しなかったことを特定可能な第１の情報と、前記現在時刻情報に基づいて特定される現在時刻に対する前記内部時計の時刻の遅れまたは進みの時間を示す第１の時間長が特定された時点における当該内部時計の時刻および当該第１の時間長をそれぞれ特定可能な第２の情報とを相互に関連付けて前記測定時刻特定用データに記録し、前記処理装置側処理部は、前記測定時刻特定用データに前記第１の情報が記録されているときに、前記第３の処理において、当該第１の情報に関連付けられている前記第２の情報に基づき、前記測定時刻情報に基づいて特定される測定時刻を予め規定された変更手順に従って変更して前記測定値に対応付けて前記測定結果データを生成する。
【００１１】
請求項２記載の測定システムは、内部時計と、予め規定された周期で測定対象についての被測定量を測定して測定値を順次出力する測定部と、外部装置から現在時刻情報を取得して前記内部時計の時刻を補正する第１の処理を予め規定された条件が満たされたときに実行すると共に、前記測定値を記録した測定値データと当該測定値データに記録した当該測定値の測定時刻を特定可能な測定時刻情報を記録した測定時刻特定用データとを相互に関連付けて生成する第２の処理を実行する測定装置側処理部とを有する測定装置、および前記測定値データに記録されている前記測定値を前記測定時刻特定用データに記録されている前記測定時刻情報に基づいて特定される測定時刻に対応付けて予め規定された手順に従って記録して測定結果データを生成する第３の処理を実行する処理装置側処理部を有するデータ処理装置を備えて構成された測定システムであって、前記測定装置側処理部は、前記現在時刻情報に基づいて特定される現在時刻に対する前記内部時計の時刻の遅れまたは進みの時間を示す第１の時間長が前記予め規定された周期の時間長未満の予め規定された第２の時間長以下のときに、前記内部時計の時刻を当該第１の時間長分変更する処理を前記第１の処理として実行すると共に、前記第１の時間長が前記第２の時間長を超えているときに、前記第１の処理を実行することなく、前記第２の処理において、当該第１の処理を実行しなかったことを特定可能な第１の情報と、当該第１の時間長が特定された時点における前記内部時計の時刻および当該第１の時間長をそれぞれ特定可能な第２の情報とを相互に関連付けて前記測定時刻特定用データに記録し、前記処理装置側処理部は、前記測定時刻特定用データに前記第１の情報が記録されているときに、前記第３の処理において、当該第１の情報に関連付けられている前記第２の情報に基づき、前記測定時刻情報に基づいて特定される測定時刻を予め規定された変更手順に従って変更して前記測定値に対応付けて前記測定結果データを生成する。
【００１２】
請求項３記載の測定システムは、請求項１または２記載の測定システムにおいて、前記測定装置側処理部は、前記第１の処理を実行して前記内部時計の時刻を前記第１の時間長分変更したときに、前記第２の処理において、当該第１の処理を実行したことを特定可能な第３の情報、および当該第１の処理によって変更した前記内部時計の時刻を特定可能な第４の情報を相互に関連付けて前記測定時刻特定用データに記録し、前記処理装置側処理部は、前記第１の情報および前記第３の情報の双方が前記測定時刻特定用データに記録されると共に、当該第１の情報が関連付けられた前記第２の情報に基づいて特定される前記内部時計の時刻と、当該第３の情報が関連付けられた前記第４の情報に基づいて特定される前記内部時計の時刻との間に測定された前記測定値が複数存在するときに、前記第３の処理において、当該第２の情報に基づいて特定される当該内部時計の時刻と、当該第４の情報に基づいて特定される当該内部時計の時刻と、前記予め規定された周期の時間長とに基づき、当該複数の測定値に対応付ける測定時刻を線形補間して前記測定結果データを生成する。
【００１３】
請求項４記載の測定システムは、請求項３記載の測定システムにおいて、前記処理装置側処理部は、前記測定時刻特定用データに前記第１の情報が複数記録されると共に、いずれかの当該第１の情報が関連付けられた前記第２の情報に基づいて特定される前記内部時計の時刻と、他のいずれかの当該第１の情報が関連付けられた前記第２の情報に基づいて特定される前記内部時計の時刻との間に、前記第４の情報に基づいて特定される前記内部時計の時刻が含まれず、かつ当該いずれかの第１の情報が関連付けられた当該第２の情報に基づいて特定される当該内部時計の時刻と、当該他のいずれかの第１の情報が関連付けられた当該第２の情報に基づいて特定される当該内部時計の時刻との間に測定された前記測定値が複数存在するときに、前記第３の処理において、当該いずれかの第１の情報が関連付けられた当該第２の情報に基づいて特定される当該内部時計の時刻と、当該他のいずれかの第１の情報が関連付けられた当該第２の情報に基づいて特定される当該内部時計の時刻と、前記予め規定された周期の時間長とに基づき、当該複数の測定値に対応付ける測定時刻を線形補間して前記測定結果データを生成する。
【００１４】
請求項５記載の測定データ処理用プログラムは、内部時計と、予め規定された周期で測定対象についての被測定量を測定して測定値を順次出力する測定部と、外部装置から現在時刻情報を取得して前記内部時計の時刻を補正する第１の処理を予め規定された条件が満たされたときに実行すると共に、前記測定値を記録した測定値データと当該測定値データに記録した当該測定値の測定時刻を特定可能な測定時刻情報を記録した測定時刻特定用データとを相互に関連付けて生成する第２の処理を実行する測定装置側処理部とを有する測定装置、および処理装置側処理部を有するデータ処理装置を備えて構成された測定システムにおける当該処理装置側処理部に対して、前記測定値データに記録されている前記測定値を前記測定時刻特定用データに記録されている前記測定時刻情報に基づいて特定される測定時刻に対応付けて予め規定された手順に従って記録して測定結果データを生成する第３の処理を実行させる測定データ処理用プログラムであって、前記現在時刻情報を取得可能な状態において前記第１の処理を実行することなく前記第２の処理を開始したときに、当該第２の処理において、当該第１の処理を実行しなかったことを特定可能な第１の情報と、前記現在時刻情報に基づいて特定される現在時刻に対する前記内部時計の時刻の遅れまたは進みの時間を示す第１の時間長が特定された時点における当該内部時計の時刻および当該第１の時間長をそれぞれ特定可能な第２の情報とを相互に関連付けて前記測定時刻特定用データに記録するように構成された前記測定装置側処理部によって生成された当該測定時刻特定用データに当該第１の情報が記録されているときに、前記第３の処理において、当該第１の情報に関連付けられている前記第２の情報に基づき、前記測定時刻情報に基づいて特定される測定時刻を予め規定された変更手順に従って変更して前記測定値に対応付けて前記測定結果データを生成させる処理を前記処理装置側処理部に実行させる。
【００１５】
請求項６記載の測定データ処理用プログラムは、内部時計と、予め規定された周期で測定対象についての被測定量を測定して測定値を順次出力する測定部と、外部装置から現在時刻情報を取得して前記内部時計の時刻を補正する第１の処理を予め規定された条件が満たされたときに実行すると共に、前記測定値を記録した測定値データと当該測定値データに記録した当該測定値の測定時刻を特定可能な測定時刻情報を記録した測定時刻特定用データとを相互に関連付けて生成する第２の処理を実行する測定装置側処理部とを有する測定装置、および処理装置側処理部を有するデータ処理装置を備えて構成された測定システムにおける当該処理装置側処理部に対して、前記測定値データに記録されている前記測定値を前記測定時刻特定用データに記録されている前記測定時刻情報に基づいて特定される測定時刻に対応付けて予め規定された手順に従って記録して測定結果データを生成する第３の処理を実行させる測定データ処理用プログラムであって、前記現在時刻情報に基づいて特定される現在時刻に対する前記内部時計の時刻の遅れまたは進みの時間を示す第１の時間長が前記予め規定された周期の時間長未満の予め規定された第２の時間長以下のときに、前記内部時計の時刻を当該第１の時間長分変更する処理を前記第１の処理として実行すると共に、前記第１の時間長が前記第２の時間長を超えているときに、前記第１の処理を実行することなく、前記第２の処理において、当該第１の処理を実行しなかったことを特定可能な第１の情報と、当該第１の時間長が特定された時点における前記内部時計の時刻および当該第１の時間長をそれぞれ特定可能な第２の情報とを相互に関連付けて前記測定時刻特定用データに記録するように構成された前記測定装置側処理部によって生成された当該測定時刻特定用データに当該第１の情報が記録されているときに、前記第３の処理において、当該第１の情報に関連付けられている前記第２の情報に基づき、前記測定時刻情報に基づいて特定される測定時刻を予め規定された変更手順に従って変更して前記測定値に対応付けて前記測定結果データを生成させる処理を前記処理装置側処理部に実行させる。
【００１６】
請求項７記載の測定データ処理用プログラムは、請求項５または６記載の測定データ処理用プログラムにおいて、前記第１の処理を実行して前記内部時計の時刻を前記第１の時間長分変更したときに、前記第２の処理において、当該第１の処理を実行したことを特定可能な第３の情報、および当該第１の処理によって変更した前記内部時計の時刻を特定可能な第４の情報を相互に関連付けて前記測定時刻特定用データに記録するように構成された前記測定装置側処理部によって生成された当該測定時刻特定用データに、前記第１の情報および前記第３の情報の双方が記録されると共に、当該第１の情報が関連付けられた前記第２の情報に基づいて特定される前記内部時計の時刻と、当該第３の情報が関連付けられた前記第４の情報に基づいて特定される前記内部時計の時刻との間に測定された前記測定値が複数存在するときに、前記第３の処理において、当該第２の情報に基づいて特定される当該内部時計の時刻と、当該第４の情報に基づいて特定される当該内部時計の時刻と、前記予め規定された周期の時間長とに基づき、当該複数の測定値に対応付ける測定時刻を線形補間して前記測定結果データを生成する処理を前記処理装置側処理部に実行させる。
【００１７】
請求項８記載の測定データ処理用プログラムは、請求項７記載の測定データ処理用プログラムにおいて、前記測定時刻特定用データに前記第１の情報が複数記録されると共に、いずれかの当該第１の情報が関連付けられた前記第２の情報に基づいて特定される前記内部時計の時刻と、他のいずれかの当該第１の情報が関連付けられた前記第２の情報に基づいて特定される前記内部時計の時刻との間に、前記第４の情報に基づいて特定される前記内部時計の時刻が含まれず、かつ当該いずれかの第１の情報が関連付けられた当該第２の情報に基づいて特定される当該内部時計の時刻と、当該他のいずれかの第１の情報が関連付けられた当該第２の情報に基づいて特定される当該内部時計の時刻との間に測定された前記測定値が複数存在するときに、前記第３の処理において、当該いずれかの第１の情報が関連付けられた当該第２の情報に基づいて特定される当該内部時計の時刻と、当該他のいずれかの第１の情報が関連付けられた当該第２の情報に基づいて特定される当該内部時計の時刻と、前記予め規定された周期の時間長とに基づき、当該複数の測定値に対応付ける測定時刻を線形補間して前記測定結果データを生成する処理を前記処理装置側処理部に実行させる。
【発明の効果】
【００１８】
請求項１記載の測定システムでは、測定装置の測定装置側処理部が、外部装置から現在時刻情報を取得可能な状態において、内部時計の時刻を第１の時間長分変更する第１の処理を実行することなく第２の処理を開始したときに、第２の処理において、第１の処理を実行しなかったことを特定可能な第１の情報と、第１の時間長が特定された時点における内部時計の時刻および第１の時間長をそれぞれ特定可能な第２の情報とを相互に関連付けて測定時刻特定用データに記録し、データ処理装置の処理装置側処理部が、測定値データに記録した測定値の測定時刻を特定可能な測定時刻情報が記録された測定時刻特定用データに上記の第１の情報が記録されているときに、第３の処理において、第１の情報に関連付けられている第２の情報に基づき、測定時刻情報に基づいて特定される測定時刻を予め規定された変更手順に従って変更して測定値に対応付けて測定結果データを生成する。また、請求項５記載の測定データ処理用プログラムでは、データ処理装置の処理装置側処理部に上記の第３の処理を実行させる。
【００１９】
また、請求項２記載の測定システムでは、測定装置の測定装置側処理部が、外部装置から取得した現在時刻情報に基づいて特定される現在時刻に対する内部時計の時刻の遅れまたは進みの時間を示す第１の時間長が、測定部が測定対象についての被測定量を測定する予め規定された周期の時間長未満の予め規定された第２の時間長以下のときに、内部時計の時刻を第１の時間長分変更する処理を第１の処理として実行すると共に、第１の時間長が第２の時間長を超えているときに、第１の処理を実行することなく、第２の処理において、第１の処理を実行しなかったことを特定可能な第１の情報と、第１の時間長が特定された時点における内部時計の時刻および第１の時間長をそれぞれ特定可能な第２の情報とを相互に関連付けて測定時刻特定用データに記録し、データ処理装置の処理装置側処理部が、測定値データに記録した測定値の測定時刻を特定可能な測定時刻情報が記録された測定時刻特定用データに上記の第１の情報が記録されているときに、第３の処理において、第１の情報に関連付けられている第２の情報に基づき、測定時刻情報に基づいて特定される測定時刻を予め規定された変更手順に従って変更して測定値に対応付けて測定結果データを生成する。また、請求項６記載の測定データ処理用プログラムでは、データ処理装置の処理装置側処理部に上記の第３の処理を実行させる。
【００２０】
したがって、請求項１，２記載の測定システム、および請求項５，６記載の測定データ処理用プログラムによれば、測定装置における測定処理と並行して測定装置において測定時刻を補正しなくても、測定値データおよび測定時刻特定用データをデータ処理装置に転送してデータ処理装置において処理することで各測定値に正確な測定時刻を対応付けた測定結果データを生成することができる。このため、測定装置において測定値に対応付ける測定時刻を補正せずに済むため、この測定時刻の補正を目的として高性能の処理部を測定装置に搭載する必要がなくなり、これにより、測定装置の製造コストの高騰や、測定装置側処理部の消費電力の増加を好適に回避することができる。
【００２１】
請求項３記載の測定システムでは、測定装置の測定装置側処理部が、第１の処理を実行して内部時計の時刻を第１の時間長分変更したときに、第２の処理において、第１の処理を実行したことを特定可能な第３の情報、および第１の処理によって変更した内部時計の時刻を特定可能な第４の情報を相互に関連付けて測定時刻特定用データに記録し、データ処理装置の処理装置側処理部が、上記の第１の情報および第３の情報の双方が測定時刻特定用データに記録されると共に、第１の情報が関連付けられた第２の情報に基づいて特定される内部時計の時刻と、第３の情報が関連付けられた第４の情報に基づいて特定される内部時計の時刻との間に測定された測定値が複数存在するときに、第３の処理において、第２の情報に基づいて特定される内部時計の時刻と、第４の情報に基づいて特定される内部時計の時刻と、予め規定された周期の時間長とに基づき、複数の測定値に対応付ける測定時刻を線形補間して測定結果データを生成する。また、請求項７記載の測定データ処理用プログラムでは、データ処理装置の処理装置側処理部に上記の第３の処理を実行させる。
【００２２】
したがって、請求項３記載の測定システム、および請求項７記載の測定データ処理用プログラムによれば、データ処理装置において測定値に対応付けて測定結果データに記録する測定時刻を補正する際に、第１の情報が関連付けられた第２の情報に基づいて特定される内部時計の時刻と、第３の情報が関連付けられた第４の情報に基づいて特定される内部時計の時刻との間に測定された測定値が複数存在し、かつ第２の情報および第４の情報に基づいて特定される内部時計の時刻同士が大きく相違するときに、各測定値に対応付けられる測定時刻が、第２の情報に基づいて特定される内部時計の時刻から第４の情報に基づいて特定される内部時計の時刻に近付くように徐々に変化させられたり、第４の情報に基づいて特定される内部時計の時刻から第２の情報に基づいて特定される内部時計の時刻に近付くように徐々に変化させられたりするため、各測定値に対応付けられた測定時刻が急激に変化するような違和感を覚える測定結果データが生成されるのを好適に回避することができる。
【００２３】
請求項４記載の測定システムでは、データ処理装置の処理装置側処理部が、測定時刻特定用データに第１の情報が複数記録されると共に、いずれかの第１の情報が関連付けられた第２の情報に基づいて特定される内部時計の時刻と、他のいずれかの第１の情報が関連付けられた第２の情報に基づいて特定される内部時計の時刻との間に、第４の情報に基づいて特定される内部時計の時刻が含まれず、かついずれかの第１の情報が関連付けられた第２の情報に基づいて特定される内部時計の時刻と、他のいずれかの第１の情報が関連付けられた第２の情報に基づいて特定される内部時計の時刻との間に測定された測定値が複数存在するときに、第３の処理において、いずれかの第１の情報が関連付けられた第２の情報に基づいて特定される内部時計の時刻と、他のいずれかの第１の情報が関連付けられた第２の情報に基づいて特定される内部時計の時刻と、予め規定された周期の時間長とに基づき、複数の測定値に対応付ける測定時刻を線形補間して測定結果データを生成する。また、請求項８記載の測定データ処理用プログラムでは、データ処理装置の処理装置側処理部に上記の第３の処理を実行させる。
【００２４】
したがって、請求項４記載の測定システム、および請求項８記載の測定データ処理用プログラムによれば、データ処理装置において測定値に対応付けて測定結果データに記録する測定時刻を補正する際に、いずれかの第１の情報が関連付けられた第２の情報に基づいて特定される内部時計の時刻と、他のいずれかの第１の情報が関連付けられた第２の情報に基づいて特定される内部時計の時刻との間に測定された測定値が複数存在し、かつ両第２の情報に基づいて特定される内部時計の時刻同士が大きく相違するときに、各測定値に対応付けられる測定時刻が、いずれかの第１の情報が関連付けられた第２の情報に基づいて特定される内部時計の時刻から、他のいずれかの第１の情報が関連付けられた第２の情報に基づいて特定される内部時計の時刻に近付くように徐々に変化させられるため、各測定値に対応付けられた測定時刻が急激に変化するような違和感を覚える測定結果データが生成されるのを好適に回避することができる。
【図面の簡単な説明】
【００２５】
【図１】測定システム１００の構成を示す構成図である。
【図２】測定装置１によって実行される測定処理および時刻補正処理の一例について説明するためのタイムチャートである。
【図３】測定装置１によって実行される測定処理および時刻補正処理の他の一例について説明するためのタイムチャートである。
【発明を実施するための形態】
【００２６】
以下、本発明に係る測定システムおよび測定データ処理用プログラムの実施の形態について、添付図面を参照して説明する。
【００２７】
図１に示す測定システム１００は、「測定システム」の一例であって、測定装置１およびデータ処理装置２を備えて構成されている。
【００２８】
測定装置１は、「測定装置」の一例であって、測定部１１、内部時計１２、ＧＰＳレシーバ１３、操作部１４、表示部１５、通信部１６、外部メモリ装着部１７、内部メモリ１８および処理部１９を備え、測定対象についての被測定量の値（電圧値、電流値および抵抗値などの各種の電気的パラメータ）を測定することができるように構成されている。
【００２９】
測定部１１は、「測定部」の一例であって、処理部１９の制御に従い、予め規定された周期で測定対象についての被測定量を測定して測定値Ｄ０を順次出力する。この場合、本例では、一例として、商用交流電源に接続された機器を測定対象とし、その電圧値を測定する際に、電源周波数が５０Ｈｚの地域において使用するときには、上記の「予め規定された周期」の時間長を２０ｍｓに規定し、電源周波数が６０Ｈｚの地域において使用するときには、上記の「予め規定された周期」の時間長を１６ｍｓに規定するものとして説明する。
【００３０】
内部時計（Real Time Clock ）１２は、測定装置１に電源が投入されている状態において継続的に時刻を刻み、その時刻を特定可能な時刻データＤｔ１を出力する。ＧＰＳレシーバ１３は、処理部１９の制御に従い、「外部装置」の一例であるＧＰＳ衛星３から送信されているＧＰＳ信号Ｓ（「現在時刻情報」の一例）を受信すると共に、受信したＧＰＳ信号Ｓに基づき、測定装置１の現在位置を特定可能な位置データ、および正確な現在時刻を特定可能な時刻データＤｔ０を生成して出力する。なお、図１では、ＧＰＳ衛星３を１機だけを図示しているが、実際には、ＧＰＳ信号Ｓを受信可能なＧＰＳ衛星３が多数存在している。
【００３１】
操作部１４は、動作条件（測定条件）の入力操作が可能な操作スイッチを備え、スイッチ操作に応じた操作信号を処理部１９に出力する。表示部１５は、処理部１９の制御に従い、測定結果の表示画面など（図示せず）を表示する。通信部１６は、一例として、ブルートゥース（Bluetooth ：登録商標）規格などの近距離無線通信規格に準ずる無線通信が可能な通信アダプタで構成されている。この通信部１６は、処理部１９の制御に従い、後述するように処理部１９によって生成される測定値データＤ１や測定時刻特定用データＤ２などの各種データをデータ処理装置２などの各種無線通信機器との間で送受信する。
【００３２】
外部メモリ装着部１７は、メモリカードＭ（リムーバブルメモリ）を装着可能に構成されると共に、処理部１９の制御に従い、装着されたメモリカードＭに対する各種記録データの記録および読み出しを実行する。内部メモリ１８は、処理部１９の演算結果や、測定値Ｄ０、測定値データＤ１および測定時刻特定用データＤ２などを記憶する。
【００３３】
処理部１９は、測定装置１を総括的に制御する。具体的には、処理部１９は、「測定装置側処理部」の一例であって、測定部１１を制御して測定処理を実行させると共に、測定部１１から出力される測定値Ｄ０を内部メモリ１８に順次記憶させる。また、処理部１９は、測定部１１から出力される測定値Ｄ０の値を記録した測定値データＤ１（「測定値データ」の一例）、および測定値データＤ１に記録した測定値の測定時刻を特定可能な情報（「測定時刻情報」の一例）を記録した測定時刻特定用データＤ２（「測定時刻特定用データ」の一例）を相互に関連付けて生成する処理（「第２の処理」の一例）を実行する。なお、上記の「測定時刻情報」の内容等については、後に、具体的な例を挙げて詳細に説明する。
【００３４】
さらに、処理部１９は、ＧＰＳレシーバ１３を介して取得した時刻データＤｔ０に基づいて内部時計１２の時刻を補正する時刻補正処理（「第１の処理」の一例）を繰り返し実行する。この場合、本例の測定装置１では、一例として、ＧＰＳレシーバ１３から１秒間隔で時刻データＤｔ０が逐次出力され、処理部１９が、ＧＰＳレシーバ１３から時刻データＤｔ０が出力される都度（すなわち、１秒間隔で）、内部時計１２の時刻を１ｍｓ単位で補正する時刻補正処理を実行する構成が採用されている（「予め規定された条件が満たされたとき」が、「外部装置から現在時刻情報を取得したとき」である構成の例）。なお、この時刻補正処理については、後に、具体的な例を挙げて詳細に説明する。
【００３５】
また、処理部１９は、データ処理装置２などの外部装置からの要求に応じて、内部メモリ１８から測定値データＤ１および測定時刻特定用データＤ２を読み出して通信部１６から送信させたり、操作部１４の操作による指示に従い、内部メモリ１８から測定値データＤ１および測定時刻特定用データＤ２を読み出して、外部メモリ装着部１７に装着されているメモリカードＭに記録したりする。
【００３６】
一方、データ処理装置２は、「データ処理装置」に相当し、本例では、一例として、測定データ処理用プログラムＤｐがインストールされたパーソナルコンピュータ、タブレット端末およびスマートフォンなどの携帯端末装置で構成されている。この場合、本例では、主記憶部２１、操作部２２、表示部２３、通信部２４、外部メモリ装着部２５、内部メモリ２６および処理部２７を備えたパーソナルコンピュータでデータ処理装置２が構成されているものとする。なお、実際のデータ処理装置２は、上記の各構成要素２１〜２７の他に、パーソナルコンピュータとしての機能を実現するための各種の構成要素を備えているが、それらの構成要素についての図示および説明を省略する。
【００３７】
主記憶部２１は、ハードディスクドライブやソリッドステートドライブなどで構成された不揮発性の記憶装置であって、「測定データ処理用プログラム」の一例である測定データ処理用プログラムＤｐ、後述するように測定装置１から取得した測定値データＤ１および測定時刻特定用データＤ２、並びに処理部２７によって生成される測定結果データＤ３などを記憶する。操作部２２は、一例として、マウス等のポインティングデバイスやキーボードおよびタッチパネル等を備え、これらに対する操作に応じた操作信号を処理部２７に出力する。表示部２３は、一例として液晶表示パネルを備え、処理部２７の制御に従い、図示しない測定結果表示画面などの各種の表示画面を表示する。
【００３８】
通信部２４は、測定装置１の通信部１６と同様にしてブルートゥース等の近距離無線通信規格に準ずる無線通信が可能な通信アダプタで構成されている。この通信部２４は、後述するように、処理部２７の制御に従い、測定装置１に対する各種の制御信号の送信処理、および測定装置１から送信される測定値データＤ１および測定時刻特定用データＤ２などの受信処理を実行する。外部メモリ装着部２５は、測定装置１の外部メモリ装着部１７と同様にしてメモリカードＭを装着可能に構成されると共に、処理部２７の制御に従い、装着されたメモリカードＭに対する各種記録データの記録および読み出しを実行する。内部メモリ２６は、処理部２７の演算結果などを記憶する。
【００３９】
処理部２７は、データ処理装置２を総括的に制御する。この処理部２７は、「処理装置側処理部」の一例であって、測定データ処理用プログラムＤｐの記述に従い、測定値データＤ１および測定時刻特定用データＤ２の送信を要求する要求信号を通信部２４から測定装置１に送信させる。また、処理部２７は、通信部２４によって測定装置１からの測定値データＤ１および測定時刻特定用データＤ２が受信されたときに、測定データ処理用プログラムＤｐの記述に従い、測定値データＤ１および測定時刻特定用データＤ２を主記憶部２１に記憶させると共に、測定値データＤ１に記録されている測定値を、測定時刻特定用データＤ２に基づいて特定される測定時刻に対応付けて予め規定された手順に従って記録して測定結果データＤ３（「測定結果データ」の一例）を生成する処理（「第３の処理」の一例）を実行する。なお、上記の「第３の処理」の内容等については、後に、具体的な例を挙げて詳細に説明する。
【００４０】
次に、測定システム１００を用いた測定、および測定結果を示す測定結果データＤ３の生成の手順の一例について、添付図面を参照して説明する。なお、データ処理装置２への測定データ処理用プログラムＤｐのインストールや、測定装置１の通信部１６とデータ処理装置２の通信部２４との間におけるブルートゥースのペアリングなどについては既に完了しているものとする。
【００４１】
この測定システム１００では、測定装置１による被測定量（一例として、測定対象の電圧値）の測定処理、測定装置１からデータ処理装置２への測定値データＤ１および測定時刻特定用データＤ２の転送（回収）、データ処理装置２による各種データ処理などを並行して実行させることができるが、本例では、これらの処理についての理解を容易とするために、最初に測定装置１による測定処理を実行し、その後に測定装置１からデータ処理装置２に測定値データＤ１および測定時刻特定用データＤ２を転送してデータ処理装置２においてデータ処理を実行する使用形態を例に挙げて説明する。
【００４２】
まず、測定装置１の操作部１４を操作して、測定部１１による測定処理の条件を設定する。この際には、一例として、電源周波数が６０Ｈｚの地域に設置されている測定対象の電圧値の測定を目的として、予め指定した測定開始時刻が到来したとき（または、図示しない測定開始スイッチを操作したとき）から、予め指定した測定終了時刻時が到来するまで（または、測定終了スイッチを操作するまで）、測定対象についての電圧値を１６ｍｓ間隔の周期で繰り返し測定すると共に、毎正時毎に測定値（電圧値）を測定値データＤ１に記録するように設定する。この設定操作により、本例の測定装置１では、一例として、「第２の時間長」が、「測定周期の時間長：１６ｍｓ未満」の一例である「１５ｍｓ」に規定され、これにより、後述するように、現在時刻と内部時計１２の時刻との差が１５ｍｓ以下のときに、内部時計の時刻を補正する時刻補正処理（第１の処理）が実行される状態となる（「予め規定された周期の時間長」から「時刻補正の最小単位時間長」を差し引いた時間長を「第２の時間長」に規定する例）。
【００４３】
また、設定時間内における上記の継続的な測定、および１時間毎の測定値の記録と並行して、一例として、指定した「第１の電圧値（測定値）」を超える電圧値（測定値）が測定されたとき、または指定した「第２の電圧値（測定値）」を下回る電圧値（測定値）が測定されたときに、そのような電圧値が測定された測定時刻を始点とする２００ｍｓ分の測定値を測定時刻に対応付けて記録するように設定する。次いで、設定操作を完了した測定装置１を測定対象に接続する。以上により、測定処理の準備作業が完了する。なお、本例の測定装置１では、上記したように、一例として、ＧＰＳレシーバ１３がＧＰＳ衛星３からのＧＰＳ信号Ｓを受信可能な状態において１秒間隔で時刻データＤｔ０を出力し、処理部１９が、ＧＰＳレシーバ１３から時刻データＤｔ０が出力される都度、内部時計１２の時刻を１ｍｓ単位で補正する時刻補正処理を実行するように設定されている。
【００４４】
一方、図２に示すように、指定した測定開始時刻が到来した時点ｔ１において、処理部１９は、測定部１１を制御して１６ｍｓ間隔での電圧値の測定処理を開始させる。これに伴い、測定部１１は、測定対象についての電圧値の測定処理を開始し、１６ｍｓの周期で測定値Ｄ０を順次出力する。また、処理部１９は、測定部１１から出力される測定値Ｄ０を内部メモリ１８にリングバッファ形式で順次記憶させ、かつ最初に出力された測定値Ｄ０を測定値データＤ１に記録すると共に、記録した測定値Ｄ０が測定された時点における内部時計１２の時刻（内部時計１２からの時刻データＤｔ０に基づいて特定される時刻：測定時刻：「測定時刻情報」の一例）を、その測定値Ｄ０に対応付けて測定時刻特定用データＤ２に記録する（「第２の処理」の一例）。さらに、処理部１９は、測定部１１から出力される測定値Ｄ０が上記の「第１の電圧値」を超えたり、「第２の電圧値」を下回ったりするかの監視（以下、「イベント発生の監視」ともいう）を開始する。
【００４５】
また、処理部１９は、測定部１１から順次出力される測定値Ｄ０の内部メモリ１８への記憶、およびイベント発生の監視と並行して、現在時刻に対する内部時計１２の時刻の遅れまたは進みの特定、および特定した遅れまたは進みに応じた内部時計１２の時刻の補正（以下、「遅れまたは進みの特定」および「内部時計１２の時刻の補正」を併せて「時刻補正処理」ともいう）を実行する。具体的には、本例の測定システム１００（測定装置１）では、前述したように、ＧＰＳレシーバ１３がＧＰＳ衛星３からのＧＰＳ信号Ｓを受信可能な状態において、１秒間隔の周期で時刻データＤｔ０を出力し、処理部１９が、ＧＰＳレシーバ１３から時刻データＤｔ０が出力される都度、以下に説明する時刻補正処理を実行する。
【００４６】
この時刻補正処理では、処理部１９は、ＧＰＳレシーバ１３から時刻データＤｔ０が出力されたときに、まず、測定部１１に対して測定処理を実行させているか否かを判別する。この際に、測定処理を実行させていない場合、すなわち、内部時計１２の時刻を大きく変更したとしても、所定の測定時刻に対応付けられた測定値（測定データ）の重複や欠落を招くことがない状態であるときには、時刻データＤｔ０に基づいて特定される現在時刻に対する内部時計１２の時刻の遅れまたは進みの時間を示す「第１の時間長」が、予め規定された「第３の時間長（一例として、２ｍｓ）」以上のときに、その「第１の時間長」がどれだけ長くても（「第２の時間長」を超えて長くても）、内部時計１２の時刻を「第１の時間長」分変更する。これにより、図２における上記の時点ｔ１が到来するまでは、内部時計１２の時刻が、現在時刻に対する±２ｍｓの範囲内の正確な時刻に維持される。
【００４７】
これに対して、測定部１１に対して測定処理を実行させているとき（図２における時点ｔ１以降のとき）には、処理部１９は、上記の「第１の時間長（内部時計１２の時刻のずれ量）」が、２ｍｓ以上１５ｍｓ以下の範囲内であるか否かを判別する。この際に、特定された「第１の時間長」が２ｍｓを下回っているときに、処理部１９は内部時計１２の時刻を補正することなく、次の時刻データＤｔ０が出力されるのを待機する。
【００４８】
また、特定された「第１の時間長」が２ｍｓ以上１５ｍｓ以下のときに、処理部１９は、内部時計１２の時刻を、特定した「第１の時間長」に応じて補正する。具体的には、現在時刻に対して内部時計１２の時刻が「第１の時間長」だけ遅れているときには、内部時計１２の時刻を「第１の時間長」分進める処理を「第１の処理」として実行し、現在時刻に対して内部時計１２の時刻が「第１の時間長」だけ進んでいるときには、内部時計１２の時刻を「第１の時間長」分遅らせる処理を「第１の処理」として実行する。
【００４９】
また、処理部１９は、上記の「第１の処理」を実行して内部時計１２の時刻を「第１の時間長」分変更したときに、一例として、「第１の処理」を実行したことを示す情報（内部時計１２の時刻が±２ｍｓの範囲内の正確な時刻に補正されていることを特定可能な情報：「第３の情報」の一例）と、補正後の内部時計１２の時刻を示す情報（「第４の情報」の一例）とを内部メモリ１８に記憶させる。なお、この「第３の情報」および「第４の情報」については、処理部１９が「第１の処理」を実行する都度、内部メモリ１８内の情報を上書きする。これにより、本例の測定装置１では、処理部１９によって実行された最新の「第１の処理」の実行時刻を特定可能な情報が内部メモリ１８に記憶された状態となる。
【００５０】
一方、上記の各処理を実行しているときに、ＧＰＳ衛星３の位置の変化などに起因してＧＰＳレシーバ１３によってＧＰＳ信号Ｓを受信できなくなることがある。例えば、図２の例では、時点ｔａにおいてＧＰＳ衛星３からのＧＰＳ信号Ｓを受信することができない状態となり、上記の時刻補正処理（「第１の処理」を実行すべきか否かの判別）が実行できなくなる。
【００５１】
このような状態において、毎正時毎の測定処理を実行すべき時点ｔ２が到来したときに、処理部１９は、時点ｔ２において測定部１１から出力された測定値Ｄ０を測定値データＤ１に追記すると共に、その測定時刻（内部時計１２の時刻）と、ＧＰＳ信号Ｓを受信できない状態（時刻補正を行えない状態）であったことを特定可能な情報と、その時点において内部メモリ１８に記憶されている上記の「第３の情報」および「第４の情報」（本例では、「時点ｔａにおいて時刻補正を行い、その結果、内部時計１２の時刻がどのように補正されたかを特定可能な情報」）とを、測定値データＤ１に追記した測定値Ｄ０に関連付けて測定時刻特定用データＤ２に記録する。
【００５２】
また、処理部１９は、ＧＰＳレシーバ１３によってＧＰＳ衛星３からのＧＰＳ信号Ｓを受信可能な状態となった時点ｔｂ以降において、測定部１１から出力される測定値Ｄ０を内部メモリ１８に順次記憶させる処理と並行して、ＧＰＳレシーバ１３からの時刻データＤｔ０に基づく現在時刻の特定、特定した現在時刻に対する内部時計１２の時刻の遅れまたは進みの時間を示す「第１の時間長」の特定、特定した「第１の時間長」が２ｍｓ以上１５ｍｓ以下であるか否かの判別、特定した「第１の時間長」が２ｍｓ以上１５ｍｓ以下のときに内部時計１２の時刻を「第１の時間長」分変化させる「第１の処理」、並びに「第３の情報」および「第４の情報」の内部メモリ１８への記憶等の一連の処理を繰り返し実行する。これにより、内部時計１２の時刻が、１秒毎に、現在時刻に対する±２ｍｓの範囲内の正確な時刻に補正される状態となる。
【００５３】
さらに、一例として、図２に示す時点ｔｃにおいて、指定した「第１の電圧値」を超える測定値Ｄ０（または、「第２の電圧値」を下回る測定値Ｄ０）が測定部１１から出力されたときに、処理部１９は、時点ｔｃを始点とする２００ｍｓ分の測定値Ｄ０が出力されたとき（この例では、時点ｔｃにおいて出力された測定値Ｄ０から数えて１２個目の測定値Ｄ０が出力されたとき）に、内部メモリ１８に記憶されている最新の２００ｍｓ分の測定値Ｄ０を測定値データＤ１に追記すると共に、時点ｔｃ（測定時刻）を特定可能な「測定時刻情報」と、ＧＰＳ信号Ｓを受信できる状態（時刻補正を行える状態）であったことを特定可能な情報と、内部メモリ１８に記憶されている「第３の情報」および「第４の情報」とを測定時刻特定用データＤ２に追記する（「第２の処理において、第３の情報および第４の情報を相互に関連付けて測定時刻特定用データに記録する」との処理の一例）。
【００５４】
一方、この種の装置では、例えば、バッテリ電圧の変化等に伴い、現在時刻に対する内部時計１２の時刻の遅れや進みがやや大きくなることがある。この場合、本例の測定装置１では、一例として、図２に示す時点ｔｄにおいて、ＧＰＳレシーバ１３によってＧＰＳ衛星３からのＧＰＳ信号Ｓを受信可能な状態で、現在時刻に対する内部時計１２の時刻の遅れまたは進みの時間を示す上記の「第１の時間長」が、「第２の時間長」の一例である１５ｍｓを超える状態となったときに、処理部１９が、上記の「第１の処理（内部時計１２の時刻の変更）」を実行することなく、「第１の処理」を実行しなかったことを特定可能な「第１の情報」と、１５ｍｓを超える「第１の時間長」が特定された時点における内部時計１２の時刻（この例では、時点ｔｄの時刻）および特定した「第１の時間長」をそれぞれ特定可能な「第２の情報」とを相互に関連付けて内部メモリ１８に記憶させる。なお、この「第１の情報」および「第２の情報」については、１５ｍｓを超える「第１の時間長」が特定される都度、処理部１９が内部メモリ１８内の情報を上書きする。
【００５５】
このような状態において、毎正時毎の測定処理を実行すべき時点ｔ３が到来したときに、処理部１９は、時点ｔ３において測定部１１から出力された測定値Ｄ０を測定値データＤ１に追記すると共に、その測定時刻（内部時計１２の時刻）と、ＧＰＳ信号Ｓを受信できる状態であったことを特定可能な情報と、その時点において内部メモリ１８に記憶されている上記の「第１の情報」および「第２の情報」（本例では、時点ｔ３の１秒前の時刻と、その時刻に１５ｍｓを超える時刻のずれ（例えば２０ｍｓの進み）が特定されたものの、時刻を補正しなかったこととを特定可能な情報）とを、上記のように追記した測定値Ｄ０に関連付けて測定時刻特定用データＤ２に記録する（「第２の処理において、第１の情報および第２の情報を相互に関連付けて測定時刻特定用データに記録する」との処理の一例）。
【００５６】
また、特定される「第１の時間長」が１５ｍｓを超えている状態である時点ｔｅにおいて、指定した「第１の電圧値」を超える測定値Ｄ０（または、「第２の電圧値」を下回る測定値Ｄ０）が測定部１１から出力されたときに、処理部１９は、時点ｔｅを始点とする２００ｍｓ分の測定値Ｄ０が出力されたとき（この例では、時点ｔｅにおいて出力された測定値Ｄ０から数えて１２個目の測定値Ｄ０が出力されたとき）に、内部メモリ１８に記憶されている最新の２００ｍｓ分の測定値Ｄ０を測定値データＤ１に追記すると共に、時点ｔｅ（測定時刻）を特定可能な「測定時刻情報」と、内部メモリ１８に記憶されている「第１の情報」および「第２の情報」（本例では、時点ｔｅの１秒前の時刻と、その時刻に１５ｍｓを超える時刻のずれ（例えば２１ｍｓの進み）が特定されたものの、時刻を補正しなかったこととを特定可能な情報）とを、上記のように測定時刻特定用データＤ２に追記する（「第２の処理において、第１の情報および第２の情報を相互に関連付けて測定時刻特定用データに記録する」との処理の他の一例）。
【００５７】
さらに、例えば、図２に示す時点ｔｆにおいて、特定される「第１の時間長」が２ｍｓ以上１５ｍｓ以下の範囲内となったときに、処理部１９は、内部時計１２の時刻を「第１の時間長」分変化させる「第１の処理」を再開することなく、「第１の処理」を実行しなかったことを特定可能な「第１の情報」と、１５ｍｓ以下の「第１の時間長」が特定された時点における内部時計１２の時刻（この例では、時点ｔｆの時刻）および特定した「第１の時間長」をそれぞれ特定可能な「第２の情報」とを相互に関連付けて内部メモリ１８に記憶させる。
【００５８】
なお、本例の構成・方法とは相違するが、上記のように時点ｔｆにおいて、特定される「第１の時間長」が２ｍｓ以上１５ｍｓ以下の範囲内となったときに、測定部１１から出力される測定値Ｄ０を内部メモリ１８に順次記憶させる処理と並行して、ＧＰＳレシーバ１３からの時刻データＤｔ０に基づく現在時刻の特定、特定した現在時刻に対する内部時計１２の時刻の遅れまたは進みの時間を示す「第１の時間長」の特定、特定した「第１の時間長」が２ｍｓ以上１５ｍｓ以下であるか否かの判別、特定した「第１の時間長」が２ｍｓ以上１５ｍｓ以下のときに内部時計１２の時刻を「第１の時間長」分変化させる「第１の処理」、並びに「第３の情報」および「第４の情報」の内部メモリ１８への記憶等の一連の処理を繰り返し実行する構成・方法を採用することもできる。このような構成・方法を採用することにより、現在時刻に対する内部時計１２の時刻の遅れや進みが「第２の時間長以下（本例では、１５ｍｓ以下）となったときに、内部時計１２の時刻が、１秒毎に、現在時刻に対する±２ｍｓの範囲内の正確な時刻に補正される状態に復帰させることができる。
【００５９】
この後、指定した測定終了時刻が到来した（または、測定終了スイッチが操作された）時点ｔ４において、処理部１９は、測定部１１を制御して測定処理を終了させる。これにより、この例では、時点ｔ１，ｔ２，ｔ３において測定された測定値Ｄ０、時点ｔｃから２００ｍｓ分の測定値Ｄ０、および時点ｔｅから２００ｍｓ分の測定値Ｄ０が記録された測定値データＤ１と、測定値データＤ１内の各測定値Ｄ０の測定時刻を特定可能な「測定時刻情報」、「第１の情報」、「第２の情報」、「第３の情報」および「第４の情報」が記録された測定時刻特定用データＤ２とが相互に関連付けられて内部メモリ１８に記憶された状態となる。以上により、測定装置１における一連の測定処理が完了する。
【００６０】
続いて、測定装置１による上記の測定処理を完了した後の任意の時点において、測定装置１からデータ処理装置２に測定値データＤ１および測定時刻特定用データＤ２を回収し、データ処理装置２において測定結果データＤ３を生成する処理を実行させる。具体的には、まず、測定対象から取り外した測定装置１をデータ処理装置２の設置場所に移動したり、測定装置１の設置場所（測定対象の場所）にデータ処理装置２を携行したりすることにより、通信部１６，２４間の無線通信が可能な範囲内に測定装置１およびデータ処理装置２の双方を位置させる。
【００６１】
次いで、データ処理装置２の操作部２２を操作して測定データ処理用プログラムＤｐを起動させ、測定値データＤ１および測定時刻特定用データＤ２の送信を要求する信号をデータ処理装置２（通信部２４）から測定装置１（通信部１６）に送信させる。これに応じて、測定装置１では、データ処理装置２から送信された上記の信号が通信部１６によって受信されたときに、処理部１９が、内部メモリ１８から測定値データＤ１および測定時刻特定用データＤ２を読み出して通信部１６からデータ処理装置２に送信させる。また、データ処理装置２では、測定装置１から送信された測定値データＤ１および測定時刻特定用データＤ２が通信部２４によって受信されたときに、処理部２７が、測定データ処理用プログラムＤｐに従い、受信された測定値データＤ１および測定時刻特定用データＤ２を主記憶部２１に記録させる。これにより、測定装置１からデータ処理装置２への測定値データＤ１および測定時刻特定用データＤ２の回収が完了する。
【００６２】
なお、本例の測定システム１００では、測定装置１からデータ処理装置２に無線通信によって測定値データＤ１および測定時刻特定用データＤ２を送信させる上記の使用形態だけでなく、メモリカードＭを介して測定装置１からデータ処理装置２に測定値データＤ１および測定時刻特定用データＤ２を回収することもできる。具体的には、測定装置１の外部メモリ装着部１７にメモリカードＭを装着した状態で操作部１４を操作することにより、内部メモリ１８に記憶されている測定値データＤ１および測定時刻特定用データＤ２のメモリカードＭへの記録を指示する。この際には、処理部１９が、内部メモリ１８から読み出した測定値データＤ１および測定時刻特定用データＤ２を、外部メモリ装着部１７を介してメモリカードＭに記録させる。
【００６３】
次いで、測定値データＤ１および測定時刻特定用データＤ２の記録を完了したメモリカードＭを外部メモリ装着部１７から取り外してデータ処理装置２の外部メモリ装着部２５に装着する。続いて、測定データ処理用プログラムＤｐを起動させた状態において操作部２２を操作することにより、測定値データＤ１および測定時刻特定用データＤ２のメモリカードＭからの読み出しを指示する。この際には、処理部２７が、測定データ処理用プログラムＤｐに従い、メモリカードＭから読み出した測定値データＤ１および測定時刻特定用データＤ２を主記憶部２１に記録させる。これにより、メモリカードＭを介しての測定値データＤ１および測定時刻特定用データＤ２の回収が完了する。
【００６４】
続いて、操作部２２を操作して測定結果データＤ３の生成処理の開始を指示する。この際に、処理部２７は、測定データ処理用プログラムＤｐに従い、測定値データＤ１に記録されている測定値を測定時刻特定用データＤ２に基づいて特定される測定時刻に対応付けて測定結果データＤ３を生成する処理（「第３の処理」の一例）を開始する。具体的には、処理部２７は、まず、「第１の情報（第１の処理を実行しなかったことを特定可能な情報）」、および「第３の情報（第１の処理を実行したことを特定可能な情報）」が測定時刻特定用データＤ２に記録されているか否かを判別する。
【００６５】
この場合、測定装置１によって図２に示すような測定処理や時刻補正処理が実行されたときには、時点ｔ１の直前にＧＰＳレシーバ１３から出力された時刻データＤｔ０に応じて「第１の処理」が実行されたことを示す「第３の情報」が時点ｔ１において測定された測定値Ｄ０に関連付けられて記録され、時点ｔａの直前にＧＰＳレシーバ１３から出力された時刻データＤｔ０に応じて「第１の処理」が実行されたことを示す「第３の情報」が時点ｔ２において測定された測定値Ｄ０に関連付けられて記録され、かつ時点ｔｃの直前にＧＰＳレシーバ１３から出力された時刻データＤｔ０に応じて「第１の処理」が実行されたことを示す「第３の情報」が時点ｔｃから２００ｍｓ分の測定値Ｄ０に関連付けられて記録されると共に、時点ｔ３の直前にＧＰＳレシーバ１３から出力された時刻データＤｔ０に応じて「第１の処理」が実行されなかったことを示す「第１の情報」が時点ｔ３において測定された測定値Ｄ０に関連付けられて記録され、かつ時点ｔｅの直前にＧＰＳレシーバ１３から出力された時刻データＤｔ０に応じて「第１の処理」が実行されなかったことを示す「第１の情報」が時点ｔｅから２００ｍｓ分の測定値Ｄ０に関連付けられて記録されている。
【００６６】
このため、時点ｔ１，ｔ２に測定された測定値Ｄ０については、「第３の情報」が関連付けられていることにより、直前に「第１の処理」が実行されたこと、すなわち、現在時刻に対する内部時計１２の時刻の遅れや進みが±２ｍｓの範囲内の極く小さなずれであったと特定することができる。したがって、処理部２７は、この時点ｔ１，ｔ２に測定された測定値Ｄ０については、それらに関連付けられて測定時刻特定用データＤ２に記録されている「測定時刻情報（測定値Ｄ０の測定時における内部時計１２の時刻を特定可能な情報）」に基づいて特定される時刻を測定時刻として対応付けて測定結果データＤ３に記録する（「第３の処理」の一例）。
【００６７】
また、時点ｔｃからの２００ｍｓ分の測定値Ｄ０については、上記の時点ｔ１，ｔ２に測定された測定値Ｄ０と同様にして、「第３の情報」が関連付けられていることにより、直前に「第１の処理」が実行されたこと、すなわち、現在時刻に対する内部時計１２の時刻の遅れや進みが±２ｍｓの範囲内の極く小さなずれであったと特定することができる。したがって、処理部２７は、時点ｔｃからの２００ｍｓ分の測定値Ｄ０についても、それらに関連付けられて測定時刻特定用データＤ２に記録されている「測定時刻情報（最初の測定値Ｄ０の測定時における内部時計１２の時刻を特定可能な情報）」に基づいて特定される時刻からの２００ｍｓを測定時刻として対応付けて測定結果データＤ３に記録する（「第３の処理」の他の一例）。
【００６８】
一方、時点ｔ３に測定された測定値Ｄ０については、「第１の情報」が関連付けられていることにより、直前に「第１の処理」が実行されなかったこと、すなわち、現在時刻に対する内部時計１２の時刻の遅れや進みが１５ｍｓを超える大きなずれであり、かつ、そのずれが補正されていないことが特定される。したがって、処理部２７は、時点ｔ３に測定された測定値Ｄ０については、その測定値Ｄ０に関連付けられて測定時刻特定用データＤ２に記録されている「測定時刻情報（測定値Ｄ０の測定時における内部時計１２の時刻を特定可能な情報）」に基づいて特定される時刻を、「第１の情報」に関連付けられて測定時刻特定用データＤ２に記録されている「第２の情報」に基づいて変更した時刻を測定時刻として対応付けて測定結果データＤ３に記録する（「第３の処理」のさらに他の一例）。
【００６９】
具体的には、一例として、上記の時点ｔ３に測定された測定値Ｄ０に関連付けられている「第１の情報」に関連付けられた「第２の情報」として、時点ｔ３の直前の時刻（「第１の時間長が特定された時点における内部時計の時刻」の一例）、および＋２０ｍｓとの「第１の時間長」（現在時刻に対して内部時計１２の時刻が２０ｍｓ進んでいたことを示す情報）が記録されているときに、処理部２７は、上記の時点ｔ３に測定された測定値Ｄ０に関連付けられて測定時刻特定用データＤ２に記録されている「測定時刻情報」に基づいて特定される時刻（測定値Ｄ０の測定時点における内部時計１２の時刻）を、「第２の情報」として記録されている＋２０ｍｓとの「第１の時間長」分だけ遅らせた時刻を正しい測定時刻として測定値Ｄ０に対応付けて測定結果データＤ３に記録する。
【００７０】
また、時点ｔｅからの２００ｍｓ分の測定値Ｄ０については、上記の時点ｔ３に測定された測定値Ｄ０と同様にして、「第１の情報」が関連付けられていることにより、直前に「第１の処理」が実行されず、現在時刻に対する内部時計１２の時刻の遅れまたは進みが１５ｍｓを超えていたと特定される。このため、処理部２７は、時点ｔｅからの２００ｍｓ分の測定値Ｄ０についても、それらに関連付けられて測定時刻特定用データＤ２に記録されている「測定時刻情報（最初の測定値Ｄ０の測定時における内部時計１２の時刻を特定可能な情報）」に基づいて特定される時刻を、「第２の情報」として記録されている「第１の時間長」分だけ遅らせた時刻（または、「第１の時間長」分だけ進めた時刻）を正しい測定時刻として対応付けて測定結果データＤ３に記録する（「第３の処理」のさらに他の一例）。
【００７１】
続いて、処理部２７は、各測定値Ｄ０およびその測定時刻を対応付けて記録した測定結果データＤ３を主記憶部２１に記憶させ、一連のデータ処理を終了する。これにより、正しい測定時刻が対応付けられた測定結果データＤ３に基づき、測定装置１による各測定処理の結果を数値やグラフによって表示部２３に表示させたり、必要に応じて図示しないプリンタから印刷したりする。
【００７２】
なお、上記の例示とは相違するが、本例の測定システム１００では、ＧＰＳレシーバ１３による電力消費量を低減するために、被測定量（例えば、電圧値）の測定の周期よりも長い時間間隔で時刻補正処理を実行させることもできる。具体的には、測定装置１による測定処理に先立って行う設定操作時に、一例として、予め指定した測定開始時刻が到来したとき（または、図示しない測定開始スイッチを操作したとき）から、予め指定した測定終了時刻時が到来するまで（または、測定終了スイッチを操作するまで）、測定対象についての電圧値を１６ｍｓ間隔の周期で繰り返し測定して測定値Ｄ０を測定値データＤ１に記録すると共に、１時間毎に時刻補正処理を行うように設定する。
【００７３】
一方、図３に示すように、時刻補正処理を実行するように設定した時点ｔ１１が到来したときに、ＧＰＳ衛星３からのＧＰＳ信号ＳをＧＰＳレシーバ１３によって受信可能な状態であるときには、ＧＰＳレシーバ１３から時刻データＤｔ０が出力される。この際に、処理部１９は、前述した使用形態における時刻補正処理時と同様にして、まず、測定部１１に対して測定処理を実行させているか否かを判別する。
【００７４】
この場合、この時点ｔ１１においては測定処理を実行させていないため、処理部１９は、時刻データＤｔ０に基づいて特定される現在時刻に対する内部時計１２の時刻の遅れまたは進みの時間を示す「第１の時間長」が２ｍｓ以上である限り、その「第１の時間長」がどれだけ長くても（「第２の時間長」を超えて長くても）、内部時計１２の時刻を特定した「第１の時間長」分変更する「第１の処理」を実行する。これにより、時点ｔ１１において内部時計１２の時刻が現在時刻に対する±２ｍｓの範囲内の正確な時刻に補正される。また、処理部１９は、「第１の処理」を実行したことを示す「第３の情報」と、補正後の内部時計１２の時刻を示す「第４の情報」とを内部メモリ１８に記憶させる。
【００７５】
次いで、指定した測定開始時刻が到来した時点ｔｇにおいて、処理部１９は、測定部１１を制御して１６ｍｓ間隔での電圧値の測定処理を開始させる。これに伴い、測定部１１は、測定対象についての電圧値の測定処理を開始し、１６ｍｓの周期で測定値Ｄ０を順次出力する。また、処理部１９は、測定部１１から出力される測定値Ｄ０を測定値データＤ１に順次追記すると共に、時点ｔｇを示す時刻情報を、最初に測定値データＤ１に記録した測定値Ｄ０に関連付けて「測定時刻情報」として測定時刻特定用データＤ２に記録する。また、処理部１９は、その時点において内部メモリ１８に記憶されている最新の「第３の情報」および「第４の情報」（この例では、時点ｔ１１において「第１の処理」を実行したことを示す「第３の情報」、および時点ｔ１１において補正された後の内部時計１２の時刻を示す「第４の情報」）を、最初に測定値データＤ１に記録した測定値Ｄ０に関連付けて測定時刻特定用データＤ２に記録する。
【００７６】
続いて、時刻補正処理を実行するように設定した時点ｔ１２が到来したときに、ＧＰＳ衛星３からのＧＰＳ信号ＳをＧＰＳレシーバ１３によって受信可能な状態のときには、ＧＰＳレシーバ１３から時刻データＤｔ０が出力される。これに伴い、処理部１９は、測定部１１に対して測定処理を実行させているか否かを判別する。この場合、この時点ｔ１２においては測定処理を実行させているため、処理部１９は、時刻データＤｔ０に基づいて特定される現在時刻に対する内部時計１２の時刻の遅れまたは進みの時間を示す「第１の時間長」が２ｍｓ以上１５ｍｓ以下の範囲内であるかを特定する。この際に、「第１の時間長」が２ｍｓ以上１５ｍｓ以下の範囲内のときには、処理部１９は、内部時計１２の時刻を「第１の時間長」に応じて補正すると共に、「第３の情報」および「第４の情報」を時点ｔ１２に測定された測定値Ｄ０に関連付けて測定時刻特定用データＤ２に記録する。
【００７７】
一方、時点ｔ１３においてＧＰＳレシーバ１３から時刻データＤｔ０が出力され、この時刻データＤｔ０に基づいて特定される現在時刻と内部時計１２の時刻との遅れまたは進みの時間を示す「第１の時間長」が、「第２の時間長」の一例である１５ｍｓを超える状態となったときに、処理部１９は、上記の「第１の処理」を実行することなく、「第１の処理」を実行しなかったことを特定可能な「第１の情報」と、１５ｍｓを超える「第１の時間長」が特定された時点における内部時計１２の時刻（この例では、時点ｔ１３の時刻）および特定した「第１の時間長」をそれぞれ特定可能な「第２の情報」とを、時点ｔ１３において測定された測定値Ｄ０に関連付けて測定時刻特定用データＤ２に記録する。
【００７８】
同様にして、時点ｔ１４，ｔ１５においてＧＰＳレシーバ１３から時刻データＤｔ０が出力され、それらの時刻データＤｔ０に基づいて特定される「第１の時間長」が、「第２の時間長」の一例である１５ｍｓを超える状態であったときに、処理部１９は、上記の「第１の処理」を実行することなく、「第１の情報」および「第２の情報」を、時点ｔ１４，ｔ１５において測定された測定値Ｄ０に関連付けて測定時刻特定用データＤ２に記録する。
【００７９】
また、時点ｔ１６においてＧＰＳレシーバ１３から時刻データＤｔ０が出力され、その時刻データＤｔ０に基づいて特定される「第１の時間長」が、２ｍｓ以上で、かつ「第２の時間長」の一例である１５ｍｓ以下のときに、処理部１９は、上記の「第１の処理」を再開することなく、「第１の処理」を実行しなかったことを特定可能な「第１の情報」と、１５ｍｓ以下の「第１の時間長」が特定された時点における内部時計１２の時刻（この例では、時点ｔ１６の時刻）および特定した「第１の時間長」をそれぞれ特定可能な「第２の情報」とを相互に関連付けて内部メモリ１８に記憶させる。
【００８０】
なお、本例の構成・方法とは相違するが、上記のように時点ｔ１６において特定される「第１の時間長」が、２ｍｓ以上で、かつ「第２の時間長」の一例である１５ｍｓ以下のときに、上記の「第１の処理」を実行して、特定した「第１の時間長」に応じて内部時計１２の時刻を補正すると共に、「第３の情報」および「第４の情報」を時点ｔ１６に測定された測定値Ｄ０に関連付けて測定時刻特定用データＤ２に記録する構成・方法を採用することもできる。このような構成・方法を採用することにより、現在時刻に対する内部時計１２の時刻の遅れや進みが「第２の時間長以下（本例では、１５ｍｓ以下）となったときに、内部時計１２の時刻が、現在時刻に対する±２ｍｓの範囲内の正確な時刻に補正される状態に復帰させることができる。
【００８１】
この後、指定した測定終了時刻が到来した（または、測定終了スイッチが操作された）時点ｔｈにおいて、処理部１９は、測定部１１を制御して測定処理を終了させる。以上により、図３に示す例では、時点ｔｇ〜ｔｈにおいて１６ｍｓ間隔の周期で測定された多数の測定値Ｄ０が記録された測定値データＤ１、並びに、時点ｔ１１，ｔ１２において「第１の処理」が実行されたことを特定可能な「第３の情報」と、各「第３の情報」に関連付けられた「第４の情報」と、時点ｔ１３〜ｔ１６において「第１の処理」が実行されなかったことを特定可能な「第１の情報」と、各「第１の情報」に関連付けられた「第２の情報」とが記録された測定時刻特定用データＤ２が相互に関連付けられて内部メモリ１８に記憶された状態となる。以上により、測定装置１における一連の測定処理が完了する。
【００８２】
続いて、測定装置１による上記の測定処理を完了した後の任意の時点において、測定装置１からデータ処理装置２に測定値データＤ１および測定時刻特定用データＤ２を回収し、データ処理装置２において測定結果データＤ３を生成する処理を実行させる。なお、測定値データＤ１および測定時刻特定用データＤ２の回収手順については前述した使用形態のときと同様のため、詳細な説明を省略する。
【００８３】
次いで、操作部２２を操作して測定結果データＤ３の生成処理の開始を指示する。この際に、処理部２７は、測定データ処理用プログラムＤｐに従い、測定値データＤ１に記録されている測定値を測定時刻特定用データＤ２に基づいて特定される測定時刻に対応付けて測定結果データＤ３を生成する処理（「第３の処理」の一例）を開始する。具体的には、処理部２７は、前述した使用形態における例のときと同様にして、まず、「第１の情報（第１の処理を実行しなかったことを特定可能な情報）」、および「第３の情報（第１の処理を実行したことを特定可能な情報）」が測定時刻特定用データＤ２に記録されているか否かを判別する。
【００８４】
この場合、測定装置１によって図３に示すような測定処理や時刻補正処理が実行されたときには、時点ｔ１１においてＧＰＳレシーバ１３から出力された時刻データＤｔ０に応じて「第１の処理」が実行されたことを示す「第３の情報」が時点ｔｇにおいて測定された測定値Ｄ０に関連付けられて記録され、かつ時点ｔ１２においてＧＰＳレシーバ１３から出力された時刻データＤｔ０に応じて「第１の処理」が実行されたことを示す「第３の情報」が時点ｔ１２において測定された測定値Ｄ０に関連付けられて記録されている。
【００８５】
また、時点ｔ１３においてＧＰＳレシーバ１３から出力された時刻データＤｔ０に応じて「第１の処理」が実行されなかったことを示す「第１の情報」が時点ｔ１３において測定された測定値Ｄ０に関連付けられて記録され、時点ｔ１４においてＧＰＳレシーバ１３から出力された時刻データＤｔ０に応じて「第１の処理」が実行されなかったことを示す「第１の情報」が時点ｔ１４において測定された測定値Ｄ０に関連付けられて記録され、かつ時点ｔ１５においてＧＰＳレシーバ１３から出力された時刻データＤｔ０に応じて「第１の処理」が実行されなかったことを示す「第１の情報」が時点ｔ１５において測定された測定値Ｄ０に関連付けられて記録されると共に、時点ｔ１６においてＧＰＳレシーバ１３から出力された時刻データＤｔ０に応じて「第１の処理」が実行されなかったことを示す「第１の情報」が時点ｔ１６において測定された測定値Ｄ０に関連付けられて記録されている。
【００８６】
したがって、処理部２７は、「第３の情報」が関連付けられている時点ｔｇの測定値Ｄ０から、「第３の情報」が関連付けられている時点ｔ１２の測定値Ｄ０までの各測定値、すなわち、関連付けられて測定時刻特定用データＤ２に記録されている「測定時刻情報」に基づいて特定される測定時刻が現在時刻に対して大きくずれていないと特定可能な測定値Ｄ０については、「測定時刻情報（測定時点における内部時計１２の時刻）」に基づいて特定される時刻を測定時刻としてそれぞれ対応付けて測定結果データＤ３に記録する（「第３の処理」の一例）。
【００８７】
一方、「第３の情報」が関連付けられている時点ｔ１２の測定値Ｄ０から、「第１の情報」が関連付けられている時点ｔ１３の測定値Ｄ０までの各測定値Ｄ０（「第１の情報および第３の情報の双方が測定時刻特定用データに記録されると共に、第１の情報が関連付けられた第２の情報に基づいて特定される内部時計の時刻と、第３の情報が関連付けられた第４の情報に基づいて特定される内部時計の時刻との間に測定された測定値が複数存在するとき」の一例）については、「第３の情報」に関連付けられて測定時刻特定用データＤ２に記録されている「第４の情報」に基づいて特定される内部時計１２の時刻と、「第１の情報」に関連付けられて測定時刻特定用データＤ２に記録されている「第２の情報」に基づいて特定される内部時計１２の時刻と、各測定値Ｄ０の測定周期の時間長（本例では、１６ｍｓ）とに基づき、各測定値Ｄ０に対応付ける測定時刻を線形補間して測定結果データＤ３に記録する（「第３の処理」の他の一例）。
【００８８】
具体的には、時点ｔ１２〜ｔ１３が１時間に設定されている本例では、この時点ｔ１２〜ｔ１３の間に１６ｍｓ間隔で測定された測定値Ｄ０が測定値データＤ１に２２５，０００個記録されている。この場合、一例として、時点ｔ１３の測定値Ｄ０に関連付けられた「第１の情報」に関連付けられている「第２の情報」に、「第１の時間長」として−１７ｍｓとの時間長（時刻データＤｔ０に基づいて特定された現在時刻に対して内部時計１２の時刻が１７ｍｓ遅れていたことを示す情報）が記録されていたときに、１ｍｓ単位で測定時刻を線形補正するには、時点ｔ１２〜ｔ１３の間に測定された２２５，０００個の測定値Ｄ０を、０ｍｓ（現在時刻に対する内部時計１２の時刻の遅れや進みが存在していなかった時点ｔ１２に対応させた補正量）から＋１７ｍｓ（現在時刻に対する内部時計１２の時刻の遅れが１７ｍｓであった時点ｔ１３に対応させた補正量）までの１８段階で補正する。
【００８９】
具体的には、処理部２７は、一例として、２２５，０００個の測定値Ｄ０のうちの最初の１２，５００個については、それらの測定値Ｄ０に関連付けられて測定時刻特定用データＤ２に記録されている「測定時刻情報（測定時点における内部時計１２の時刻を示す情報）」に基づいて特定される測定時刻を、そのまま変更せずに対応付けて測定結果データＤ３に記録し、次の１２，５００個の測定値Ｄ０については、それらの測定値Ｄ０に関連付けられて測定時刻特定用データＤ２に記録されている「測定時刻情報」に基づいて特定される測定時刻を、１ｍｓ進めた時刻を対応付けて測定結果データＤ３に記録し、さらに次の１２，５００個の測定値Ｄ０については、それらの測定値Ｄ０に関連付けられて測定時刻特定用データＤ２に記録されている「測定時刻情報」に基づいて特定される測定時刻を、２ｍｓ進めた時刻を対応付けて測定結果データＤ３に記録する。
【００９０】
このような時刻の変更を１２，５００個の測定値Ｄ０毎に行い、２２５，０００個の測定値Ｄ０のうちの最後の１２，５００個については、それらの測定値Ｄ０に関連付けられて測定時刻特定用データＤ２に記録されている「測定時刻情報」に基づいて特定される測定時刻を、１７ｍｓ進めた時刻を対応付けて測定結果データＤ３に記録する。なお、「第２の情報」に−１７ｍｓとの遅れを示す時間長が記録されていた例における線形補間の方法を説明したが、「第２の情報」に＋１７ｍｓとの進みを示す時間長が記録されていたときには、１２，５００個の測定値Ｄ０毎に、対応付ける測定時刻を１ｍｓずつ余計に遅らせればよい。
【００９１】
また、「第１の情報」が関連付けられている時点ｔ１３〜ｔ１６までの各測定値Ｄ０（「測定時刻特定用データに第１の情報が複数記録されると共に、いずれかの第１の情報が関連付けられた第２の情報に基づいて特定される内部時計の時刻と、他のいずれかの第１の情報が関連付けられた第２の情報に基づいて特定される内部時計の時刻との間に、第４の情報に基づいて特定される内部時計の時刻が含まれず、いずれかの第１の情報が関連付けられた第２の情報に基づいて特定される内部時計の時刻と、他のいずれかの第１の情報が関連付けられた第２の情報に基づいて特定される内部時計の時刻との間に測定された測定値が複数存在するとき」の一例）については、「第１の情報」に関連付けられて測定時刻特定用データＤ２に記録されている「第２の情報」に基づいて特定される内部時計１２の時刻と、各測定値Ｄ０の測定周期の時間長（本例では、１６ｍｓ）とに基づき、各測定値Ｄ０に対応付ける測定時刻を線形補間して測定結果データＤ３に記録する（「第３の処理」の他の一例）。
【００９２】
具体的には、一例として、時点ｔ１３の測定値Ｄ０に関連付けられた「第１の情報」に関連付けられている「第２の情報」に、「第１の時間長」として−１７ｍｓとの時間長が記録され、時点ｔ１４の測定値Ｄ０に関連付けられた「第１の情報」に関連付けられている「第２の情報」に、「第１の時間長」として−２２ｍｓとの時間長が記録され、時点ｔ１５の測定値Ｄ０に関連付けられた「第１の情報」に関連付けられている「第２の情報」に、「第１の時間長」として−１７ｍｓとの時間長が記録されていたものとする。
【００９３】
この際に、１ｍｓ単位で測定時刻を線形補正するには、時点ｔ１３〜ｔ１４の間に測定された２２５，０００個の測定値Ｄ０については、＋１７ｍｓ（現在時刻に対する内部時計１２の時刻の遅れが１７ｍｓであった時点ｔ１３に対応させた補正量）から＋２２ｍｓ（現在時刻に対する内部時計１２の時刻の遅れが２２ｍｓであった時点ｔ１４に対応させた補正量）までの６段階で補正し、時点ｔ１４〜ｔ１５の間に測定された２２５，０００個の測定値Ｄ０については、＋２２ｍｓ（時点ｔ１４に対応させた補正量）から＋１７ｍｓ（現在時刻に対する内部時計１２の時刻の遅れが１７ｍｓであった時点ｔ１５に対応させた補正量）までの６段階で補正する。
【００９４】
具体的には、処理部２７は、一例として、時点ｔ１３〜時点ｔ１４に測定された２２５，０００個の測定値Ｄ０のうちの最初の３７，５００個については、それらの測定値Ｄ０に関連付けられて測定時刻特定用データＤ２に記録されている「測定時刻情報（測定時点における内部時計１２の時刻を示す情報）」に基づいて特定される測定時刻を、１７ｍｓ進めた時刻を対応付けて測定結果データＤ３に記録し、次の３７，５００個の測定値Ｄ０については、それらの測定値Ｄ０に関連付けられて測定時刻特定用データＤ２に記録されている「測定時刻情報」に基づいて特定される測定時刻を、１８ｍｓ進めた時刻を対応付けて測定結果データＤ３に記録する。
【００９５】
このような時刻の変更を３７，５００個の測定値Ｄ０毎に行い、時点ｔ１３〜時点ｔ１４に測定された２２５，０００個の測定値Ｄ０のうちの最後の３７，５００個については、それらの測定値Ｄ０に関連付けられて測定時刻特定用データＤ２に記録されている「測定時刻情報」に基づいて特定される測定時刻を、２２ｍｓ進めた時刻を対応付けて測定結果データＤ３に記録する。
【００９６】
また、処理部２７は、時点ｔ１４〜時点ｔ１５に測定された２２５，０００個の測定値Ｄ０のうちの最初の３７，５００個については、それらの測定値Ｄ０に関連付けられて測定時刻特定用データＤ２に記録されている「測定時刻情報（測定時点における内部時計１２の時刻を示す情報）」に基づいて特定される測定時刻を、２２ｍｓ進めた時刻を対応付けて測定結果データＤ３に記録し、次の３７，５００個の測定値Ｄ０については、それらの測定値Ｄ０に関連付けられて測定時刻特定用データＤ２に記録されている「測定時刻情報」に基づいて特定される測定時刻を、２１ｍｓ進めた時刻を対応付けて測定結果データＤ３に記録する。
【００９７】
このような時刻の変更を３７，５００個の測定値Ｄ０毎に行い、時点ｔ１４〜時点ｔ１５に測定された２２５，０００個の測定値Ｄ０のうちの最後の３７，５００個については、それらの測定値Ｄ０に関連付けられて測定時刻特定用データＤ２に記録されている「測定時刻情報」に基づいて特定される測定時刻を、１７ｍｓ進めた時刻を対応付けて測定結果データＤ３に記録する。また、詳細な説明を省略するが、時点ｔ１５〜時点ｔ１６に測定された２２５，０００個の測定値Ｄ０についても、時点ｔ１４〜時点ｔ１５に測定された２２５，０００個の測定値Ｄ０についての処理時と同様にして、対応付ける測定時刻を時点ｔ１５，ｔ１６における内部時計１２の遅れや進みに応じて変更して測定結果データＤ３に記録する。
【００９８】
なお、「第１の時間長」として、現在時刻に対する内部時計１２の時刻の遅れを示す時間長が「第２の情報」として測定時刻特定用データＤ２に記録されていた例について説明したが、このような「第２の情報」に代えて、現在時刻に対する内部時計１２の時刻の進みを示す時間長が「第２の情報」として測定時刻特定用データＤ２に記録されていたときには、上記の線形補間に代えて、「測定時刻情報」に基づいて特定される時刻を進める量を１ｍｓ分ずつ異ならせる線形補間する処理を実行すればよい。
【００９９】
また、本例とは相違する構成・方法として上記したように、時点ｔ１６においても「第１の処理」が実行されて時点ｔ１６の測定値Ｄ０に「第３の情報」が関連付けられているときには、「第１の情報」が関連付けられている時点ｔ１５の測定値Ｄ０から、「第３の情報」が関連付けられている時点ｔ１６の測定値Ｄ０までの各測定値Ｄ０（「第１の情報および第３の情報の双方が測定時刻特定用データに記録されると共に、第１の情報が関連付けられた第２の情報に基づいて特定される内部時計の時刻と、第３の情報が関連付けられた第４の情報に基づいて特定される内部時計の時刻との間に測定された測定値が複数存在するとき」の他の一例）については、「第１の情報」に関連付けられて測定時刻特定用データＤ２に記録されている「第２の情報」に基づいて特定される内部時計１２の時刻と、「第３の情報」に関連付けられて測定時刻特定用データＤ２に記録されている「第４の情報」に基づいて特定される内部時計１２の時刻と、各測定値Ｄ０の測定周期の時間長（本例では、１６ｍｓ）とに基づき、各測定値Ｄ０に対応付ける測定時刻を線形補間して測定結果データＤ３に記録する（「第３の処理」のさらに他の一例）。
【０１００】
具体的には、一例として、時点ｔ１５の測定値Ｄ０に関連付けられた「第１の情報」に関連付けられている「第２の情報」に、「第１の時間長」として−１７ｍｓとの時間長（時刻データＤｔ０に基づいて特定された現在時刻に対して内部時計１２の時刻が１７ｍｓ遅れていたことを示す情報）が記録されていた本例では、時点ｔ１５〜ｒ１６の間に測定された２２５，０００個の測定値Ｄ０のうちの最初の１２，５００個については、それらの測定値Ｄ０に関連付けられて測定時刻特定用データＤ２に記録されている「測定時刻情報（測定時点における内部時計１２の時刻を示す情報）」に基づいて特定される測定時刻を、１７ｍｓ進めた時刻を対応付けて測定結果データＤ３に記録し、次の１２，５００個の測定値Ｄ０については、それらの測定値Ｄ０に関連付けられて測定時刻特定用データＤ２に記録されている「測定時刻情報」に基づいて特定される測定時刻を、１６ｍｓ進めた時刻を対応付けて測定結果データＤ３に記録し、さらに次の１２，５００個の測定値Ｄ０については、それらの測定値Ｄ０に関連付けられて測定時刻特定用データＤ２に記録されている「測定時刻情報」に基づいて特定される測定時刻を、１５ｍｓ進めた時刻を対応付けて測定結果データＤ３に記録する。
【０１０１】
このような時刻の変更を１２，５００個の測定値Ｄ０毎に行い、２２５，０００個の測定値Ｄ０のうちの最後の１２，５００個については、それらの測定値Ｄ０に関連付けられて測定時刻特定用データＤ２に記録されている「測定時刻情報」に基づいて特定される測定時刻を、そのまま変更せずに対応付けて測定結果データＤ３に記録する。なお、「第２の情報」に−１７ｍｓとの遅れを示す時間長が記録されていた例における線形補間の方法を説明したが、「第２の情報」に＋１７ｍｓとの進みを示す時間長が記録されていたときには、１２，５００個の測定値Ｄ０毎に対応付ける測定時刻を１ｍｓずつ余計に進めればよい。
【０１０２】
この後、処理部２７は、各測定値Ｄ０およびその測定時刻を対応付けて記録した測定結果データＤ３を主記憶部２１に記憶させ、一連のデータ処理を終了する。これにより、正しい測定時刻が対応付けられた測定結果データＤ３に基づき、測定装置１による各測定処理の結果を数値やグラフによって表示部２３に表示させたり、必要に応じて図示しないプリンタから印刷したりすることが可能となる。
【０１０３】
このように、この測定システム１００では、測定装置１の処理部１９が、ＧＰＳ衛星３からのＧＰＳ信号Ｓを受信可能な状態（ＧＰＳ信号Ｓに基づく「現在時刻情報（時刻データＤｔ０）」を取得可能な状態）において、内部時計１２の時刻を「第１の時間長」分変更する「第１の処理」を実行することなく「第２の処理」を開始したときに、「第２の処理」において、「第１の処理」を実行しなかったことを特定可能な「第１の情報」と、「第１の時間長」が特定された時点における内部時計１２の時刻および「第１の時間長」をそれぞれ特定可能な「第２の情報」とを相互に関連付けて「測定時刻特定用データ（測定時刻特定用データＤ２）」に記録し、データ処理装置２の処理部２７が、「測定値データ（測定値データＤ１）」に記録した測定値の測定時刻を特定可能な「測定時刻情報」が記録された上記の測定時刻特定用データＤ２に上記の「第１の情報」が記録されているときに、「第３の処理」において、「第１の情報」に関連付けられている「第２の情報」に基づき、「測定時刻情報」に基づいて特定される測定時刻を予め規定された変更手順に従って変更して測定値に対応付けて「測定結果データ（測定結果データＤ３）」を生成する。また、この測定データ処理用プログラムＤｐでは、データ処理装置２の処理部２７に上記の「第３の処理」を実行させる。
【０１０４】
具体的には、この測定システム１００では、一例として、測定装置１の処理部１９が、ＧＰＳ衛星３から取得したＧＰＳ信号Ｓに基づく「現在時刻情報（時刻データＤｔ０）」に基づいて特定される現在時刻に対する内部時計１２の時刻の遅れまたは進みの時間を示す「第１の時間長」が、測定部１１が測定対象についての被測定量を測定する予め規定された周期の時間長（本例では、１６ｍｓまたは２０ｍｓ）未満の予め規定された「第２の時間長（本例では、１５ｍｓまたは１９ｍｓ）」以下のときに、内部時計１２の時刻を「第１の時間長」分変更する処理を「第１の処理」として実行すると共に、「第１の時間長」が「第２の時間長」を超えているときに、「第１の処理」を実行することなく、「第２の処理」において、「第１の処理」を実行しなかったことを特定可能な「第１の情報」と、「第１の時間長」が特定された時点における内部時計１２の時刻および「第１の時間長」をそれぞれ特定可能な「第２の情報」とを相互に関連付けて「測定時刻特定用データ（測定時刻特定用データＤ２）」に記録し、データ処理装置２の処理部２７が、「測定値データ（測定値データＤ１）」に記録した測定値の測定時刻を特定可能な「測定時刻情報」が記録された上記の測定時刻特定用データＤ２に上記の「第１の情報」が記録されているときに、「第３の処理」において、「第１の情報」に関連付けられている「第２の情報」に基づき、「測定時刻情報」に基づいて特定される測定時刻を予め規定された変更手順に従って変更して測定値に対応付けて「測定結果データ（測定結果データＤ３）」を生成する。また、この測定データ処理用プログラムＤｐでは、データ処理装置２の処理部２７に上記の「第３の処理」を実行させる。
【０１０５】
したがって、この測定システム１００および測定データ処理用プログラムＤｐによれば、測定装置１における測定処理と並行して測定装置１において測定時刻を補正しなくても、測定値データＤ１および測定時刻特定用データＤ２をデータ処理装置２に転送してデータ処理装置２において処理することで各測定値Ｄ０に正確な測定時刻を対応付けた測定結果データＤ３を生成することができる。このため、測定装置１において測定値Ｄ０に対応付ける測定時刻を補正せずに済むため、この測定時刻の補正を目的として高性能の処理部を測定装置１に搭載する必要がなくなり、これにより、測定装置１の製造コストの高騰や、処理部１９の消費電力の増加を好適に回避することができる。
【０１０６】
また、この測定システム１００では、測定装置１の処理部１９が、「第１の処理」を実行して内部時計１２の時刻を「第１の時間長」分変更したときに、「第２の処理」において、「第１の処理」を実行したことを特定可能な「第３の情報」、および「第１の処理」によって変更した内部時計１２の時刻を特定可能な「第４の情報」を相互に関連付けて測定時刻特定用データＤ２に記録し、データ処理装置２の処理部２７が、上記の「第１の情報」および「第３の情報」の双方が測定時刻特定用データＤ２に記録されると共に、「第１の情報」が関連付けられた「第２の情報」に基づいて特定される内部時計１２の時刻と、「第３の情報」が関連付けられた「第４の情報」に基づいて特定される内部時計１２の時刻との間に測定された測定値が複数存在するときに、「第３の処理」において、「第２の情報」に基づいて特定される内部時計１２の時刻と、「第４の情報」に基づいて特定される内部時計１２の時刻と、予め規定された周期の時間長とに基づき、複数の測定値に対応付ける測定時刻を線形補間して測定結果データＤ３を生成する。また、この測定データ処理用プログラムＤｐでは、データ処理装置２の処理部２７に上記の「第３の処理」を実行させる。
【０１０７】
したがって、この測定システム１００および測定データ処理用プログラムＤｐによれば、データ処理装置２において測定値Ｄ０に対応付けて測定結果データＤ３に記録する測定時刻を補正する際に、「第１の情報」が関連付けられた「第２の情報」に基づいて特定される内部時計１２の時刻と、「第３の情報」が関連付けられた「第４の情報」に基づいて特定される内部時計１２の時刻との間に測定された測定値が複数存在し、かつ「第２の情報」および「第４の情報」に基づいて特定される内部時計１２の時刻同士が大きく相違するときに、各測定値Ｄ０に対応付けられる測定時刻が、「第２の情報」に基づいて特定される内部時計１２の時刻から「第４の情報」に基づいて特定される内部時計１２の時刻に近付くように徐々に変化させられたり、「第４の情報」に基づいて特定される内部時計１２の時刻から「第２の情報」に基づいて特定される内部時計１２の時刻に近付くように徐々に変化させられたりするため、各測定値Ｄ０に対応付けられた測定時刻が急激に変化するような違和感を覚える測定結果データＤ３が生成されるのを好適に回避することができる。
【０１０８】
さらに、この測定システム１００では、データ処理装置２の処理部２７が、測定時刻特定用データＤ２に「第１の情報」が複数記録されると共に、いずれかの「第１の情報」が関連付けられた「第２の情報」に基づいて特定される内部時計１２の時刻と、他のいずれかの「第１の情報」が関連付けられた「第２の情報」に基づいて特定される内部時計１２の時刻との間に、「第４の情報」に基づいて特定される内部時計１２の時刻が含まれず、かついずれかの「第１の情報」が関連付けられた「第２の情報」に基づいて特定される内部時計１２の時刻と、他のいずれかの「第１の情報」が関連付けられた「第２の情報」に基づいて特定される内部時計１２の時刻との間に測定された測定値が複数存在するときに、「第３の処理」において、いずれかの「第１の情報」が関連付けられた「第２の情報」に基づいて特定される内部時計１２の時刻と、他のいずれかの「第１の情報」が関連付けられた「第２の情報」に基づいて特定される内部時計１２の時刻と、予め規定された周期の時間長とに基づき、複数の測定値に対応付ける測定時刻を線形補間して測定結果データＤ３を生成する。また、この測定データ処理用プログラムＤｐでは、データ処理装置２の処理部２７に上記の「第３の処理」を実行させる。
【０１０９】
したがって、この測定システム１００および測定データ処理用プログラムＤｐによれば、データ処理装置２において測定値Ｄ０に対応付けて測定結果データＤ３に記録する測定時刻を補正する際に、いずれかの「第１の情報」が関連付けられた「第２の情報」に基づいて特定される内部時計１２の時刻と、他のいずれかの「第１の情報」が関連付けられた「第２の情報」に基づいて特定される内部時計１２の時刻との間に測定された測定値が複数存在し、かつ両「第２の情報」に基づいて特定される内部時計１２の時刻同士が大きく相違するときに、各測定値Ｄ０に対応付けられる測定時刻が、いずれかの「第１の情報」が関連付けられた「第２の情報」に基づいて特定される内部時計１２の時刻から、他のいずれかの「第１の情報」が関連付けられた「第２の情報」に基づいて特定される内部時計１２の時刻に近付くように徐々に変化させられるため、各測定値Ｄ０に対応付けられた測定時刻が急激に変化するような違和感を覚える測定結果データＤ３が生成されるのを好適に回避することができる。
【０１１０】
なお、「測定システム」の構成や、「測定データ処理用プログラム」の処理内容については、上記の例に限定されない。例えば、ＧＰＳ衛星３からのＧＰＳ信号Ｓに基づいて生成した時刻データＤｔ０を「現在時刻情報」として利用して正しい現在時刻を特定する例について説明したが、このような構成・方法に代えて、ＮＴＰ（Network Time Protocol ）サーバー（「外部装置」の他の一例）から「現在時刻情報」を取得して利用したり、ＪＪＹ（登録商標：「外部装置」のさらに他の一例））等の標準電波送信局から送信される標準電波を「現在時刻情報」として取得して利用したり、テレビジョン放送局やラジオ放送局の設備（「外部装置」のさらに他の一例）から毎正時毎に送信される時報情報を「現在時刻情報」として取得して利用したりすることもできる。
【０１１１】
また、測定装置１において設定された時間間隔で時刻補正処理を実行する（外部装置から現在時刻情報を取得したとき時刻補正処理（第１の処理）を実行）例について説明したが、「［時刻補正（第１の処理）を実行する指示］が割り当てられた所定の操作が行われたとき」、「［時刻補正（第１の処理）を実行する指示］の制御信号が外部装置から出力されたとき」、「測定値が規定条件を満たしたとき」、および「内部時計の時刻が設定時刻となったとき」などの任意の条件を「予め規定された条件」として規定して時刻補正処理（第１の処理）を実行させることができる。さらに、「第２の時間長」を「予め規定された周期の時間長から時刻補正の最小単位時間長」を差し引いた時間長」に規定した例について説明したが、このような時間長よりもさらに短い時間長を「第２の時間長」として規定することもでききる。
【０１１２】
加えて、「被測定量（電気的パラメータ）」の値（測定値）として、電圧値、電流値および抵抗値などを測定する構成を例に挙げて説明したが、これらの例示に代えて（または、これらの例示に加えて）、電力値、位相、温度、湿度、歪み、輝度（光度）、照度、雨量および流量等の各種の「被測定量（パラメータ）」の値を測定する構成を採用することもできる。
【符号の説明】
【０１１３】
１００  測定システム
１  測定装置
２  データ処理装置
３  ＧＰＳ衛星
１１  測定部
１２  内部時計
１３  ＧＰＳレシーバ
１４，２２  操作部
１５，２３  表示部
１６，２４  通信部
１７，２５  外部メモリ装着部
１８，２６  内部メモリ
１９，２７  処理部
２１  主記憶部
Ｄ０  測定値
Ｄ１  測定値データ
Ｄ２  測定時刻特定用データ
Ｄ３  測定結果データ
Ｄｐ  測定データ処理用プログラム
Ｄｔ０，Ｄｔ１  時刻データ
Ｍ  メモリカード
Ｓ  ＧＰＳ信号
ｔ１，ｔ２・・，ｔａ，ｔｂ・・  時点
【図１】
2017198490.tif 000003
【図２】
2017198490.tif 000004
【図３】
2017198490.tif 000005